(57)【要約】【課題】音声信号の送受信による遅延時間が少なく、且つ、レーダーパルス等の強いパルスの影響を回避できるワイヤレスマイク用ＯＦＤＭ送信装置及び受信装置を提供する。【解決手段】ワイヤレスマイク用ＯＦＤＭ送信装置は、外符号符号化部と、内符号符号化部と、ＯＦＤＭ変調部と、複数の周波数変換部とを備え、同一のＯＦＤＭシンボルデータを複数の異なる送信周波数で送信する。  また、ワイヤレスマイク用ＯＦＤＭ受信装置は、複数の異なる送信周波数に対応した高周波部を有すると共に、異なる周波数で受信されたＯＦＤＭ信号のうち、品質の良いものを比較・選択・合成して、周波数ダイバーシティにより品質の良い音声信号を出力する。【選択図】図１
2014209699.tif 000002
【特許請求の範囲】
【請求項１】
デジタルの音声信号をＯＦＤＭ変調方式により送信するワイヤレスマイク用ＯＦＤＭ送信装置であって、
デジタルの音声信号をブロック単位で入力し、外符号を生成する外符号符号化部と、
前記外符号符号化部出力を内符号符号化して、内符号を生成する内符号符号化部と、
前記内符号符号化部出力をＯＦＤＭ変調方式により変調してＯＦＤＭ信号を生成するＯＦＤＭ変調部とを備えたワイヤレスマイク用ＯＦＤＭ送信装置において、
異なる送信周波数に対応した複数の周波数変換部をさらに備え、同一の前記ＯＦＤＭ信号を前記異なる送信周波数で送信することを特徴とするワイヤレスマイク用ＯＦＤＭ送信装置。
【請求項２】
請求項１に記載のワイヤレスマイク用ＯＦＤＭ送信装置において、アナログ／デジタル変換部によりデジタル化された前記音声信号を瞬時圧縮する瞬時圧縮部をさらに備え、瞬時圧縮された前記音声信号に対して、前記外符号符号化部による処理を行うことを特徴とするワイヤレスマイク用ＯＦＤＭ送信装置。
【請求項３】
請求項１に記載のワイヤレスマイク用ＯＦＤＭ送信装置において、アナログ／デジタル変換部によりデジタル化された前記音声信号をＡＤＰＣＭ（adaptive differential pulse code modulation：適応的差分パルス符号変調）処理により符号化するＡＤＰＣＭ符号化部をさらに備え、ＡＤＰＣＭ符号化された前記音声信号に対して、前記外符号符号化部による処理を行うことを特徴とするワイヤレスマイク用ＯＦＤＭ送信装置。
【請求項４】
請求項１に記載のワイヤレスマイク用ＯＦＤＭ送信装置において、アナログ／デジタル変換部によりデジタル化された音声信号を瞬時圧縮する瞬時圧縮部と、アナログ／デジタル変換部によりデジタル化された音声信号をＡＤＰＣＭ（adaptive differential pulse code modulation：適応的差分パルス符号変調）処理により符号化するＡＤＰＣＭ符号化部と、前記瞬時圧縮部の出力と前記ＡＤＰＣＭ符号化部の出力と前記アナログ／デジタル変換部の出力とを選択する選択部とをさらに備え、いずれかの出力信号に対して、前記外符号符号化部による処理を行うことを特徴とするワイヤレスマイク用ＯＦＤＭ送信装置。
【請求項５】
請求項１〜４のいずれか一項に記載のワイヤレスマイク用ＯＦＤＭ送信装置において、前記外符号符号化部の前段にエネルギー拡散部を備えたことを特徴とするワイヤレスマイク用ＯＦＤＭ送信装置。
【請求項６】
請求項１〜４のいずれか一項に記載のワイヤレスマイク用ＯＦＤＭ送信装置において、前記外符号符号化部と内符号符号化部との間にエネルギー拡散部を備えたことを特徴とするワイヤレスマイク用ＯＦＤＭ送信装置。
【請求項７】
請求項１〜６のいずれか一項に記載のワイヤレスマイク用ＯＦＤＭ送信装置において、前記複数の周波数変換部の送信周波数を可変とすることを特徴とするワイヤレスマイク用ＯＦＤＭ送信装置。
【請求項８】
デジタルの音声信号をＯＦＤＭ変調方式により変調したＯＦＤＭ信号を受信するワイヤレスマイク用ＯＦＤＭ受信装置であって、
前記ＯＦＤＭ信号を復調するＯＦＤＭ復調部と、
ＯＦＤＭ復調信号から内符号を復号する内符号復号部と、
前記内符号の復号の後に、外符号を復号する外符号復号部とを備えたワイヤレスマイク用ＯＦＤＭ受信装置において、
それぞれ異なる周波数の無線周波数信号である前記ＯＦＤＭ信号を受信し、所定の中間周波数に変換する複数の高周波部をさらに備え、
複数の周波数で受信した同一の前記ＯＦＤＭ信号のうち、信号品質の良いものを選択又は合成して信号処理を行い、音声信号を生成することを特徴とするワイヤレスマイク用ＯＦＤＭ受信装置。
【請求項９】
請求項８に記載のワイヤレスマイク用ＯＦＤＭ受信装置において、受信した前記ＯＦＤＭ信号をＦＦＴ（Fast Fourier Transform：高速フーリエ変換）処理した後の信号について、信号品質を算出し、前記信号品質の良いものを選択又は合成して信号処理を行うことを特徴とするワイヤレスマイク用ＯＦＤＭ受信装置。
【請求項１０】
請求項８に記載のワイヤレスマイク用ＯＦＤＭ受信装置において、前記内符号を復号した後の信号について、信号品質の良いものを選択又は合成して信号処理を行うことを特徴とするワイヤレスマイク用ＯＦＤＭ受信装置。
【請求項１１】
請求項８に記載のワイヤレスマイク用ＯＦＤＭ受信装置において、前記外符号を復号した後の信号について、信号品質の良いものを選択又は合成して信号処理を行うことを特徴とするワイヤレスマイク用ＯＦＤＭ受信装置。
【請求項１２】
請求項８〜１１のいずれか一項に記載のワイヤレスマイク用ＯＦＤＭ受信装置において、外符号復号部の後にデータを瞬時伸張する瞬時伸張部をさらに備え、瞬時伸張されたデータをデジタル／アナログ変換して音声信号を出力することを特徴とするワイヤレスマイク用ＯＦＤＭ受信装置。
【請求項１３】
請求項８〜１１のいずれか一項に記載のワイヤレスマイク用ＯＦＤＭ受信装置において、外符号復号部の後にデータをＡＤＰＣＭ（adaptive differential pulse code modulation：適応的差分パルス符号変調）処理により復号するＡＤＰＣＭ復号部をさらに備え、ＡＤＰＣＭ復号されたデータをデジタル／アナログ変換して音声信号を出力することを特徴とするワイヤレスマイク用ＯＦＤＭ受信装置。
【請求項１４】
請求項８〜１１のいずれか一項に記載のワイヤレスマイク用ＯＦＤＭ受信装置において、外符号復号部の後にデータを瞬時伸張する瞬時伸張部と、データをＡＤＰＣＭ（adaptive differential pulse code modulation：適応的差分パルス符号変調）処理により復号するＡＤＰＣＭ復号部と、前記瞬時伸張部の出力と前記ＡＤＰＣＭ復号部の出力と前記外符号復号部の後の出力とを選択する選択部とをさらに備え、いずれかの出力信号を、デジタル／アナログ変換して音声信号を出力することを特徴とするワイヤレスマイク用ＯＦＤＭ受信装置。
【請求項１５】
請求項８〜１４のいずれか一項に記載のワイヤレスマイク用ＯＦＤＭ受信装置において、前記外符号復号部の後段にエネルギー逆拡散部を備えたことを特徴とするワイヤレスマイク用ＯＦＤＭ受信装置。
【請求項１６】
請求項８〜１４のいずれか一項に記載のワイヤレスマイク用ＯＦＤＭ受信装置において、前記内符号復号部と前記外符号復号部の間にエネルギー逆拡散部を備えたことを特徴とするワイヤレスマイク用ＯＦＤＭ受信装置。
【請求項１７】
請求項８〜１６のいずれか一項に記載のワイヤレスマイク用ＯＦＤＭ受信装置において、前記高周波部で受信可能な周波数を可変とすることを特徴とするワイヤレスマイク用ＯＦＤＭ受信装置。
【請求項１８】
デジタルの音声信号をＯＦＤＭ変調方式により送受信するワイヤレスマイク用ＯＦＤＭ送受信方法であって、
ＯＦＤＭ送信側は、デジタルの音声信号をＯＦＤＭ変調方式により変調した同一のＯＦＤＭ信号を複数の送信周波数で送信し、
ＯＦＤＭ受信側は、受信した複数の送信周波数による同一の前記ＯＦＤＭ信号のうち、信号品質の良いものを選択又は合成して信号処理を行い、ＯＦＤＭ復調して前記音声信号を生成する、
ことを特徴とするワイヤレスマイク用ＯＦＤＭ送受信方法。
【発明の詳細な説明】
【技術分野】
【０００１】
本発明は、デジタルの音声信号をＯＦＤＭ（Orthogonal Frequency Division Multiplexing：直交周波数分割多重）変調方式により送受信するワイヤレスマイク用ＯＦＤＭ送信装置、受信装置及び送受信方法に関するものである。
【背景技術】
【０００２】
従来、ワイヤレスマイクの伝送方式として、アナログ方式とデジタル方式がある。非特許文献１には「特定ラジオマイクの陸上移動局の無線設備」について策定された標準規格が記されており、非特許文献２には「特定小電力無線局ラジオマイク用無線設備」について策定された標準規格が記されている。
【０００３】
また、ワイヤレスマイクについては伝送帯域幅についての標準規格も設定されており、非特許文献３には、欧州電気通信標準化機構（ＥＴＳＩ：European Telecommunications Standards Institute）の２５ＭＨｚ〜３ＧＨｚ帯のワイヤレスマイクに関する標準規格として、１ＧＨｚ未満の周波数帯では最大の伝送帯域幅を２００ｋＨｚとし、１ＧＨｚ以上の周波数帯では最大の伝送帯域幅を６００ｋＨｚとすることが定められている。
【０００４】
アナログ方式のワイヤレスマイクは、遅延時間が極めて少なく、現在広く用いられているが、障害物で途切れやすい、伝送距離が短い、干渉しやすいという問題がある。そのため、屋外やコンサートホールなどで高品質の音声を提供するには、デジタル方式のワイヤレスマイクを用いる必要がある。
【０００５】
例えば、特許文献１には、デジタル方式で音声を圧縮符号化して伝送するワイヤレスマイクシステムが開示されている。図４２はこのような従来のワイヤレスマイクシステムの構成を示すブロック図である。ワイヤレスマイク送信装置６０は、マイク６１と、Ａ／Ｄ変換部６２と、圧縮符号化部６３と、インターリーブ・誤り訂正部６４と、変調部６５と、Ｄ／Ａ変換部６６と、送信周波数変換部６７と、送信アンテナ６８とを備える。ワイヤレスマイク送信装置６０は、Ａ／Ｄ変換部６２によりマイク６１から入力されるアナログの音声信号をデジタル信号に変換し、圧縮符号化部６３によりデジタル信号を圧縮符号化し、インターリーブ・誤り訂正部６４によりインターリーブ及び誤り訂正を行う。続いて、ワイヤレスマイク送信装置６０は、変調部６５により例えばπ／４シフトＤＱＰＳＫ変調方式で変調し、Ｄ／Ａ変換部６６により変調信号をアナログ信号に変換し、送信周波数変換部６７により送信周波数に変換し、送信アンテナ６８に出力する。
【０００６】
ワイヤレスマイク受信装置７０は、受信アンテナ７１と、受信周波数変換部７２と、Ａ／Ｄ変換部７３と、復調部７４と、デインターリーブ・誤り訂正部７５と、伸張復号部７６と、Ｄ／Ａ変換部７７と、スピーカ７８とを備える。ワイヤレスマイク受信装置７０は、受信周波数変換部７２により受信アンテナ７１から入力される信号を周波数変換し、Ａ／Ｄ変換部７３によりデジタル信号に変換し、復調部７４により、送信側で変調された変調信号を復調し、デインターリーブ・誤り訂正部７５によりデインターリーブ及び誤り訂正を行う。続いて、ワイヤレスマイク受信装置７０は、伸張復号部７６により、送信側で圧縮された信号を伸張し、Ｄ／Ａ変換部７７により伸張信号をアナログ信号に変換し、スピーカ７８に出力する。
【０００７】
このようなデジタル方式のワイヤレスマイクは、アナログ方式と比較して音声を高品質に送受信できる。しかし、上記のような従来型のデジタル方式のワイヤレスマイクシステムでは、周波数帯域を節約するために、送信側で圧縮処理を行い、また受信側で圧縮処理された信号の伸張処理を行っており、これらの処理による遅延時間が生じている。
【０００８】
例えば、非特許文献４には、デジタルワイヤレストランスミッターの製品仕様の中に、音声遅延１．５ｍsecとの記載がある。また、非特許文献５には、デジタルワイヤレスレシーバーの製品仕様の中に、音声遅延１．９ｍsecとの記載がある。これらの製品では、送受合計で約３．４ｍsecの音声伝送遅延が生じている。これらの伝送遅延時間は、使用条件によっては出演者や演奏者に影響を与えると言われている。
【０００９】
また、ワイヤレスマイクを装着・携帯する出演者は、劇場やホールのステージに留まらず、場合によっては観客席や屋外など、移動しながらワイヤレスマイクを使用することが多い。これは、移動・携帯受信の伝搬環境となり、マルチパスやフェージング等が発生し、伝送品質が低下する課題があった。
【００１０】
このような従来型のデジタル方式によるワイヤレスマイクの課題を解消するため、音声信号の変調にＯＦＤＭ変調方式を利用することが検討されつつある。この変調方式により、音声信号の送受信による遅延時間を減少させ、且つ、マルチパスフェージングによる受信品質の低下を防止するワイヤレスマイク用ＯＦＤＭ送信装置、受信装置を実現することが期待されている。
【００１１】
また、一方で特定ラジオマイク（Ａ型ワイヤレスマイク）の周波数移行が求められており、新しい周波数帯域でのデジタル方式のワイヤレスマイクの検討も行われている。総務省より公表されている周波数再編アクションプランにおいて、７７０〜８０６ＭＨｚの特定ラジオマイク（ワイヤレスマイク）の移行先周波数帯は、地上テレビジョン放送用周波数帯のホワイトスペース等及び１．２ＧＨｚ帯（１２４０〜１２６０ＭＨｚ）とされている。非特許文献６によれば、この移行先周波数帯は、他システムと共用する周波数帯である。
【先行技術文献】
【特許文献】
【００１２】
【特許文献１】特開平１０−１５０６９２号公報
【非特許文献】
【００１３】
【非特許文献１】「特定ラジオマイクの陸上移動局の無線設備」、ＡＲＩＢ  ＲＣＲ  ＳＴＤ−２２、社団法人電波産業会
【非特許文献２】「特定小電力無線局ラジオマイク用無線設備」、ＡＲＩＢ  ＲＣＲ  ＳＴＤ−１５、社団法人電波産業会
【非特許文献３】欧州電気通信標準化機構  「ＥＴＳＩ  ＥＮ３００  ４２２−１」  [online]、[２０１３年３月２２日検索]、インターネット<URL: http://www.etsi.org/deliver/etsi_en/300400_300499/30042201/01.03.02_60/en_30042201v010302p.pdf>
【非特許文献４】デジタルワイヤレストランスミッター  DWT-B01/AB  仕様書  、[２０１３年３月２２日検索]、インターネット<URL : http://www.sony.jp/products/catalog/SPC_DWT-B01_AB.pdf>
【非特許文献５】デジタルワイヤレスレシーバー  DWR-R01D  仕様書  、[２０１３年３月２２日検索]、インターネット<URL : http://www.sony.jp/products/catalog/SPC_DWR-R01D.pdf>
【非特許文献６】総務省 電波利用ホームページ「我が国の電波利用状況」960〜3000MHzから抜粋、[２０１３年３月２２日検索]、インターネット<URL : http://www.tele.soumu.go.jp/resource/search/myuse/use/960m.pdf>
【発明の概要】
【発明が解決しようとする課題】
【００１４】
特定ラジオマイク（ワイヤレスマイク）の上記移行先周波数帯は、他システムと共用する周波数帯のため、他システムから干渉を受けて、信号の伝送品質が低下し、場合によっては、ラジオマイクとして運用できない可能性がある。例えば、移行先の１．２ＧＨｚ帯は、無線標定局（レーダー）との共用であり、レーダーパルスの干渉を受けることが予想される。
【００１５】
レーダーは、例えば、伝送帯域幅が約２ＭＨｚ〜数ＭＨｚでピーク値が−２０〜−７５ｄＢｍ程度の強いパルスが、５〜１０ｍsec程度の周期で繰り返し発射される。したがって、ＯＦＤＭ変調方式のワイヤレスマイクであっても、レーダーパルス等の強いパルスによって、ノイズが発生することがある。
【００１６】
図１（ａ）は、ラジオマイクで使用されるＯＦＤＭ変調信号の伝送帯域幅とレーダーパルス信号の伝送帯域幅の関係を示した図である。例えば、伝送帯域幅５８６．５ｋＨｚのＯＦＤＭ変調方式を用いて７つのラジオマイクが送受信を行っている場合に、帯域幅数ＭＨｚの強力なパルス波が受信入力に入ってくると、ラジオマイク２〜４のＯＦＤＭ信号は、それぞれ全ての周波数キャリアのデータが影響を受け、レーダーパルスの干渉により音声遮断（プツプツ、ザッ、という雑音）が生じる。
【００１７】
従って、上記のような問題点に鑑みてなされた本発明の目的は、到来するレーダーパルスの影響を回避し、信号の伝送品質低下や音声遮断の生じない低遅延デジタルワイヤレスマイク用ＯＦＤＭ送信装置、受信装置及び送受信方法を提供することにある。
【課題を解決するための手段】
【００１８】
上記課題を解決するため、本発明は、周波数ダイバーシティを利用するものであって、送信側で音声データをＯＦＤＭ変調方式により変調し、複数の周波数で同じＯＦＤＭ信号を送信するとともに、受信側では、受信信号のうち、異なる周波数で得たＯＦＤＭ信号のうち、品質の良い信号を選択・合成し、音声信号に変換するものである。
【００１９】
本発明によるワイヤレスマイク用ＯＦＤＭ送信装置は、デジタルの音声信号をＯＦＤＭ変調方式により送信するワイヤレスマイク用ＯＦＤＭ送信装置であって、デジタルの音声信号をブロック単位で入力し、外符号を生成する外符号符号化部と、前記外符号符号化部出力を内符号符号化して、内符号を生成する内符号符号化部と、前記内符号符号化部出力をＯＦＤＭ変調方式により変調してＯＦＤＭ信号を生成するＯＦＤＭ変調部とを備えたワイヤレスマイク用ＯＦＤＭ送信装置において、異なる送信周波数に対応した複数の周波数変換部をさらに備え、同一の前記ＯＦＤＭ信号を前記異なる送信周波数で送信することを特徴とする。
【００２０】
また、本発明に係るワイヤレスマイク用ＯＦＤＭ送信装置は、アナログ／デジタル変換部によりデジタル化された前記音声信号を瞬時圧縮する瞬時圧縮部をさらに備え、瞬時圧縮された前記音声信号に対して、前記外符号符号化部による処理を行うことが望ましい。
【００２１】
また、本発明に係るワイヤレスマイク用ＯＦＤＭ送信装置は、アナログ／デジタル変換部によりデジタル化された前記音声信号をＡＤＰＣＭ（adaptive differential pulse code modulation：適応的差分パルス符号変調）処理により符号化するＡＤＰＣＭ符号化部をさらに備え、ＡＤＰＣＭ符号化された前記音声信号に対して、前記外符号符号化部による処理を行うことが望ましい。
【００２２】
また、本発明に係るワイヤレスマイク用ＯＦＤＭ送信装置は、アナログ／デジタル変換部によりデジタル化された音声信号を瞬時圧縮する瞬時圧縮部と、アナログ／デジタル変換部によりデジタル化された音声信号をＡＤＰＣＭ（adaptive differential pulse code modulation：適応的差分パルス符号変調）処理により符号化するＡＤＰＣＭ符号化部と、前記瞬時圧縮部の出力と前記ＡＤＰＣＭ符号化部の出力と前記アナログ／デジタル変換部の出力とを選択する選択部とをさらに備え、いずれかの出力信号に対して、前記外符号符号化部による処理を行うことが望ましい。
【００２３】
また、本発明に係るワイヤレスマイク用ＯＦＤＭ送信装置は、前記外符号符号化部の前段にエネルギー拡散部を備えることが望ましい。
【００２４】
また、本発明に係るワイヤレスマイク用ＯＦＤＭ送信装置は、前記外符号符号化部と内符号符号化部との間にエネルギー拡散部を備えることが望ましい。
【００２５】
また、本発明に係るワイヤレスマイク用ＯＦＤＭ送信装置は、前記複数の周波数変換部の送信周波数を可変とすることが望ましい。
【００２６】
本発明に係るワイヤレスマイク用ＯＦＤＭ受信装置は、デジタルの音声信号をＯＦＤＭ変調方式により変調したＯＦＤＭ信号を受信するワイヤレスマイク用ＯＦＤＭ受信装置であって、前記ＯＦＤＭ信号を復調するＯＦＤＭ復調部と、ＯＦＤＭ復調信号から内符号を復号する内符号復号部と、前記内符号の復号の後に、外符号を復号する外符号復号部とを備えたワイヤレスマイク用ＯＦＤＭ受信装置において、それぞれ異なる周波数の無線周波数信号である前記ＯＦＤＭ信号を受信し、所定の中間周波数に変換する複数の高周波部をさらに備え、複数の周波数で受信した同一の前記ＯＦＤＭ信号のうち、信号品質の良いものを選択又は合成して信号処理を行い、音声信号を生成することを特徴とする。
【００２７】
また、本発明に係るワイヤレスマイク用ＯＦＤＭ受信装置は、受信した前記ＯＦＤＭ信号をＦＦＴ（Fast Fourier Transform：高速フーリエ変換）処理した後の信号について、信号品質を算出し、前記信号品質の良いものを選択又は合成して信号処理を行うことが望ましい。
【００２８】
また、本発明に係るワイヤレスマイク用ＯＦＤＭ受信装置は、前記内符号を復号した後の信号について、信号品質の良いものを選択又は合成して信号処理を行うことが望ましい。
【００２９】
また、本発明に係るワイヤレスマイク用ＯＦＤＭ受信装置は、前記外符号を復号した後の信号について、信号品質の良いものを選択又は合成して信号処理を行うことが望ましい。
【００３０】
また、本発明に係るワイヤレスマイク用ＯＦＤＭ受信装置は、外符号復号部の後にデータを瞬時伸張する瞬時伸張部をさらに備え、瞬時伸張されたデータをデジタル／アナログ変換して音声信号を出力することが望ましい。
【００３１】
また、本発明に係るワイヤレスマイク用ＯＦＤＭ受信装置は、外符号復号部の後にデータをＡＤＰＣＭ（adaptive differential pulse code modulation：適応的差分パルス符号変調）処理により復号するＡＤＰＣＭ復号部をさらに備え、ＡＤＰＣＭ復号されたデータをデジタル／アナログ変換して音声信号を出力することが望ましい。
【００３２】
また、本発明に係るワイヤレスマイク用ＯＦＤＭ受信装置は、外符号復号部の後にデータを瞬時伸張する瞬時伸張部と、データをＡＤＰＣＭ（adaptive differential pulse code modulation：適応的差分パルス符号変調）処理により復号するＡＤＰＣＭ復号部と、前記瞬時伸張部の出力と前記ＡＤＰＣＭ復号部の出力と前記外符号復号部の後の出力とを選択する選択部とをさらに備え、いずれかの出力信号を、デジタル／アナログ変換して音声信号を出力することが望ましい。
【００３３】
また、本発明に係るワイヤレスマイク用ＯＦＤＭ受信装置は、前記外符号復号部の後段にエネルギー逆拡散部を備えることが望ましい。
【００３４】
また、本発明に係るワイヤレスマイク用ＯＦＤＭ受信装置は、前記内符号復号部と前記外符号復号部の間にエネルギー逆拡散部を備えることが望ましい。
【００３５】
また、本発明に係るワイヤレスマイク用ＯＦＤＭ受信装置は、前記高周波部で受信可能な周波数を可変とすることが望ましい。
【００３６】
また、本発明に係るワイヤレスマイク用ＯＦＤＭ送受信方法は、デジタルの音声信号をＯＦＤＭ変調方式により送受信するワイヤレスマイク用ＯＦＤＭ送受信方法であって、ＯＦＤＭ送信側は、デジタルの音声信号をＯＦＤＭ変調方式により変調した同一のＯＦＤＭ信号を複数の送信周波数で送信し、ＯＦＤＭ受信側は、受信した複数の送信周波数による同一の前記ＯＦＤＭ信号のうち、信号品質の良いものを選択又は合成して信号処理を行い、ＯＦＤＭ復調して前記音声信号を生成する、ことを特徴とする。
【発明の効果】
【００３７】
本発明におけるワイヤレスマイク用ＯＦＤＭ送信装置、受信装置及び送受信方法によれば、レーダー到来環境下であっても、レーダーパルスによる影響を回避し、雑音や音声遮断が生じない低遅延デジタルラジオマイク伝送を可能とする。
【図面の簡単な説明】
【００３８】
【図１】本発明の課題とその解決手段の概要を示す概念図である。
【図２】実施例１のワイヤレスマイク用ＯＦＤＭ送信装置のブロック図である。
【図３】実施例２のワイヤレスマイク用ＯＦＤＭ送信装置のブロック図である。
【図４】実施例３のワイヤレスマイク用ＯＦＤＭ送信装置のブロック図である。
【図５】実施例４のワイヤレスマイク用ＯＦＤＭ送信装置のブロック図である。
【図６】実施例５のワイヤレスマイク用ＯＦＤＭ送信装置のブロック図である。
【図７】実施例６のワイヤレスマイク用ＯＦＤＭ送信装置のブロック図である。
【図８】実施例７のワイヤレスマイク用ＯＦＤＭ送信装置のブロック図である。
【図９】実施例８のワイヤレスマイク用ＯＦＤＭ送信装置のブロック図である。
【図１０】実施例９のワイヤレスマイク用ＯＦＤＭ受信装置のブロック図である。
【図１１】実施例１０のワイヤレスマイク用ＯＦＤＭ受信装置のブロック図である。
【図１２】実施例１１のワイヤレスマイク用ＯＦＤＭ受信装置のブロック図である。
【図１３】実施例１２のワイヤレスマイク用ＯＦＤＭ受信装置のブロック図である。
【図１４】実施例１３のワイヤレスマイク用ＯＦＤＭ受信装置のブロック図である。
【図１５】実施例１４のワイヤレスマイク用ＯＦＤＭ受信装置のブロック図である。
【図１６】実施例１５のワイヤレスマイク用ＯＦＤＭ受信装置のブロック図である。
【図１７】実施例１６のワイヤレスマイク用ＯＦＤＭ受信装置のブロック図である。
【図１８】実施例１７のワイヤレスマイク用ＯＦＤＭ受信装置のブロック図である。
【図１９】実施例１８のワイヤレスマイク用ＯＦＤＭ受信装置のブロック図である。
【図２０】実施例１９のワイヤレスマイク用ＯＦＤＭ受信装置のブロック図である。
【図２１】実施例２０のワイヤレスマイク用ＯＦＤＭ受信装置のブロック図である。
【図２２】実施例２１のワイヤレスマイク用ＯＦＤＭ受信装置のブロック図である。
【図２３】実施例２２のワイヤレスマイク用ＯＦＤＭ受信装置のブロック図である。
【図２４】実施例２３のワイヤレスマイク用ＯＦＤＭ受信装置のブロック図である。
【図２５】実施例２４のワイヤレスマイク用ＯＦＤＭ受信装置のブロック図である。
【図２６】実施例２５のワイヤレスマイク用ＯＦＤＭ受信装置のブロック図である。
【図２７】実施例２６のワイヤレスマイク用ＯＦＤＭ受信装置のブロック図である。
【図２８】実施例２７のワイヤレスマイク用ＯＦＤＭ受信装置のブロック図である。
【図２９】実施例２８のワイヤレスマイク用ＯＦＤＭ受信装置のブロック図である。
【図３０】実施例２９のワイヤレスマイク用ＯＦＤＭ受信装置のブロック図である。
【図３１】実施例３０のワイヤレスマイク用ＯＦＤＭ受信装置のブロック図である。
【図３２】実施例３１のワイヤレスマイク用ＯＦＤＭ受信装置のブロック図である。
【図３３】実施例３２のワイヤレスマイク用ＯＦＤＭ受信装置のブロック図である。
【図３４】実施例３３のワイヤレスマイク用ＯＦＤＭ受信装置のブロック図である。
【図３５】実施例３４のワイヤレスマイク用ＯＦＤＭ受信装置のブロック図である。
【図３６】実施例３５のワイヤレスマイク用ＯＦＤＭ受信装置のブロック図である。
【図３７】実施例３６のワイヤレスマイク用ＯＦＤＭ受信装置のブロック図である。
【図３８】実施例３７のワイヤレスマイク用ＯＦＤＭ受信装置のブロック図である。
【図３９】実施例３８のワイヤレスマイク用ＯＦＤＭ受信装置のブロック図である。
【図４０】実施例３９のワイヤレスマイク用ＯＦＤＭ受信装置のブロック図である。
【図４１】実施例４０のワイヤレスマイク用ＯＦＤＭ受信装置のブロック図である。
【図４２】従来のワイヤレスマイクシステムの構成を示すブロック図である。
【発明を実施するための形態】
【００３９】
以下、本発明の実施の形態について説明する。
【００４０】
図１（ｂ）は本発明の課題解決手段である周波数ダイバーシティについて説明する概念図である。一般に、周波数ダイバーシティは、異なる周波数で同じ内容を送信することで、ダイバーシティ効果を得る方法である。
【００４１】
図１（ｂ）において、例えば約１２４５ＭＨｚ〜１２４９ＭＨｚの数ＭＨｚの伝送帯域幅で、レーダーパルス信号が照射されている。また、「３」と表示されているのが、図１（ａ）の３番目のラジオマイクに対応するＯＦＤＭ信号である。ＯＦＤＭ変調方式として、次のようなＯＦＤＭ変調方式を一例として説明する。
・シンボル長８３．３μsec（有効シンボル長７８．４μsec）
・キャリア間隔１２．７５ｋＨｚ
・キャリア総数４６
・伝送帯域幅５８６．５ｋＨｚ
【００４２】
ここで、複数の周波数（無線周波数）、例えば、１２４８ＭＨｚ付近と１２５３ＭＨｚ付近の２つの周波数を利用して、同じＯＦＤＭ信号を送信する。このとき、１２４８ＭＨｚ付近にあるＯＦＤＭ信号は、伝送帯域幅が完全にレーダーパルス信号に覆われ、全ての周波数キャリアがレーダーパルス信号の干渉を受け、誤り無く受信するのは困難である。しかしながら、１２５３ＭＨｚ付近のＯＦＤＭ信号は、レーダーパルス信号の影響を受けることなく、良好な品質の信号を受信することができる。したがって、複数（ここでは、２つ）の周波数で送受信した信号のうち、レーダーパルス信号の影響を受けていない信号を処理することにより、雑音や音声遮断が生じない送受信が可能となり、周波数ダイバーシティが可能となる。
【００４３】
少なくとも一方の信号がレーダーパルスの影響を受けないようにするためには、２つの周波数の間隔をレーダーパルス信号の伝送帯域幅よりも大きくすること必要である。なお、複数の周波数で信号を送信する際に、周波数の間隔を大きくするほどレーダーパルス等の影響は少なくなるが、ラジオマイクに許容されている周波数帯の範囲で複数の周波数を選択しなければならない。
【００４４】
また、データ誤りを排除するため、同じＯＦＤＭ信号を３つ以上の周波数で送信することも可能である。ただし、使用する周波数帯域が非常に広くなることや、送受信装置のハードウェアの大型化を考慮すると、同一データを２つの周波数で送信することが効率的であり、以下の実施例では、２つの周波数による送信を前提として説明を行う。
【００４５】
なお、後に詳しく説明するが、受信側では、２つの周波数で得られた同じＯＦＤＭ信号を比較し、品質の良い方を選択したり、或いは、品質が悪い信号を除去し、受信できたデータを合成して品質改善をしたり、様々な手法により２つの同じＯＦＤＭ信号を有効に利用することができる。
【００４６】
（実施の形態１）
本発明の時間ダイバーシティを実現するＯＦＤＭ送信装置を、実施の形態１として説明する。
【実施例１】
【００４７】
図２は、本発明の実施例１に係るワイヤレスマイク用ＯＦＤＭ送信装置１０１の構成を示すブロック図である。実施例１のＯＦＤＭ送信装置１０１は、リニアＰＣＭによる信号処理を行い、データ圧縮を行わないで高品質な音声信号を伝送する方式の送信装置である。
【００４８】
図２に示すように、ＯＦＤＭ送信装置１０１は、Ａ／Ｄ変換部１１と、エネルギー拡散部１２と、外符号符号化部１３と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成する。
【００４９】
各構成要素について説明する。Ａ／Ｄ変換部１１は、マイクから入力されるアナログの音声信号をデジタル信号に変換し、エネルギー拡散部１２に出力する。音声信号の情報源符号化（サンプリング）は、サンプリング周波数として、例えば、４８ｋＨｚ又は３２ｋＨｚが利用される。量子化ビット長としては、例えば２４ｂｉｔや１６ｂｉｔが利用される。
【００５０】
エネルギー拡散部１２は、音声情報の偏りによりＯＦＤＭの特定のキャリアにエネルギーが集中しないように、デジタル化された音声信号を、擬似ランダム信号等を用いてランダム化する。
【００５１】
外符号符号化部１３は、データを所定のブロック長のブロックに区切り、ブロックごとにパリティビットを付加する。ＲＳ（リード・ソロモン）符号、ＢＣＨ符号、差集合巡回符号、あるいは、ＣＲＣ符号により、ブロック符号化を行って外符号を生成し、内符号符号化部１４に出力する。これは、受信側で誤り訂正を行うため、或いは誤り検出を行い、誤ったブロックに対してコンシールメントを行うためである。例えば、ＢＣＨ符号を用いることで、遅延時間を少なくすることができる。例えば、ＲＳ（２０４，１８８）符号の場合、符号１ブロックに含まれるビット数は、２０４Ｂｙｔｅ＝１６３２ｂｉｔであり、符号化及び復号による遅延時間は１３１０μｓとなる。これに対し、ＢＣＨ（１４４，１２８）符号の場合、符号１ブロックに含まれるビット数が１４４ｂｉｔであり、符号化及び復号による遅延時間は１１５μｓである。なお、ここでのブロックは、１つのＯＦＤＭシンボルで送信できるビット数のデータの集合である。
【００５２】
内符号符号化部１４は、外符号符号化部１３から入力される信号を内符号化（例えば、畳み込み符号化）し、内符号を生成してキャリア変調部１５に出力する。
【００５３】
ここで、ブロック単位での処理を遅延の発生なく行う条件について、補足的に説明する。デジタルの音声信号をブロック単位で入力し、ブロックごとに処理を行う場合、外符号符号化部１３による外符号の符号長をＮｏとすると、外符号符号化部１３から出力される１ブロックあたりのデータ量ａは、Ｎｏ（単位はビット）と等しい。また、内符号符号化部１４による内符号化率をＲｉ、後のキャリア変調部１５における変調方式の変調多値数をＭ、ＯＦＤＭ信号のデータキャリア数をＮｄとすると、ＯＦＤＭ信号１シンボルあたりのデータ量ｂは、Ｒｉ×Ｍ×Ｎｄ（単位はビット）で表される。
【００５４】
ここで、ａ＝ｂの場合、外符号符号化部１３からブロック単位で処理するごとに出力される符号長のａビットと、内符号符号化部１４及びＯＦＤＭ変調部にてシンボル単位で処理すべきデータ量のｂビットが等しいため、外符号符号化部１３から出力されるａビット（＝ｂビット）のデータを直ちに内符号符号化処理、ＯＦＤＭ変調処理を実行することができる。そこで、符号長Ｎｏが次式（１）を満たすようにパラメータを設定する。
【００５５】
Ｎｏ＝Ｒｉ×Ｍ×Ｎｄ                                                    （１）
【００５６】
Ｎｏ＝Ｒｉ×Ｍ×Ｎｄとなるようにパラメータを設定することにより、ＯＦＤＭ信号を連続して生成することができるため、送信レート調整用のバッファメモリは不要となり、外符号符号化部１３に入力されるデータに対する、内符号符号化部１４及びＯＦＤＭ変調部から出力されるデータの遅延を少なくすることができる。なお、このようなパラメータ設定は、以降の実施例においても、同様に設定できる。
【００５７】
キャリア変調部１５は、その内部に図示しないビットインターリーブ部とマッピング部を備えており、内符号符号化部１４から入力される信号（内符号出力）に対し、ビットローテーション等の大きな時間遅れを生じさせないビット単位でのデータの並び替え（ビットインターリーブ）を行い、その後、キャリアごとに所定の変調方式（変調多値数Ｍ）に応じてＩＱ平面へのマッピングを行い、キャリア変調信号を生成し、周波数インターリーブ部１６に出力する。
【００５８】
周波数インターリーブ部１６は、特定の搬送波が妨害を受けた場合の耐性を向上させるために、本来隣接しているシンボルのキャリア番号を並び替え、データを周波数的に分散するものである。周波数的に分散するように並び替えたデータをＯＦＤＭフレーム構成部１７に出力する。
【００５９】
ＯＦＤＭフレーム構成部１７は、周波数インターリーブ部１６から入力される信号に対して、パイロット信号を挿入して配置することによりＯＦＤＭセグメントフレームを生成し、ＩＦＦＴ部１８に出力する。パイロット信号は、信号生成時の振幅及び位相が既知であるため、受信側において伝送路特性を推定することができる。ＯＦＤＭフレーム構成部１７は、パイロット信号として、分散して配置されるＳＰ（Scattered Pilot）信号に加え、シンボル方向に連続して配置されるＣＰ（Continual Pilot）信号を挿入してもよい。また、制御情報を伝送するための信号であるＴＭＣＣ（Transmission and Multiplexing Configuration Control）信号を挿入してもよい。ＯＦＤＭフレーム構成は、例えば、総キャリア数４６（データキャリア数３９又は４０）のものが利用されるが、他の総キャリア数のものを利用しても良い。
【００６０】
ＩＦＦＴ部１８は、ＯＦＤＭフレーム構成部１７から入力されるＯＦＤＭセグメントフレームに対して、ＩＦＦＴ（Inverse Fast Fourier Transform：逆高速フーリエ変換）処理を施して有効シンボル信号を生成する。なお、ＩＦＦＴ部１８で生成された有効シンボル信号は、図示しないガードインターバル付加部に出力され、ガードインターバル付加部は、ＩＦＦＴ部１８から入力される有効シンボル信号の先頭に、有効シンボル信号の後半部分をコピーしたガードインターバルを挿入する。ガードインターバルは、ＯＦＤＭ信号を受信する際にシンボル間干渉を低減させるために挿入されるものであり、マルチパス遅延波の遅延時間がガードインターバル長を超えないように設定される。
【００６１】
Ｄ／Ａ変換部１９は、作成されたＯＦＤＭシンボル信号に対して、デジタル／アナログ変換をする。
【００６２】
周波数変換部２０は、Ｄ／Ａ変換部１９によりアナログ信号化されたデータを送信周波数に変換する。本発明では、信号を複数の周波数（ｆ１、ｆ２）で送信できるように、周波数変換部２０は、送信（無線）周波数ｆ１に変換する周波数変換部２０１と、送信（無線）周波数ｆ２に変換する周波数変換部２０２との複数を備えている。なお、３つ以上の周波数で送信する場合は、それぞれの周波数に対応する周波数変換部２０を準備すればよい。また、任意の伝送帯域幅のレーダーパルスに対応できるように、各周波数変換部の送信（無線）周波数は、可変にできることが望ましい。それぞれの周波数変換部２０（２０１、２０２）からの信号は、ともに出力合成部２１に出力される。
【００６３】
出力合成部２１は、それぞれの周波数変換部２０（２０１、２０２）で、送信周波数（ｆ１、ｆ２）に変換された信号を、電力増幅して送信アンテナ２２から送信する。
【００６４】
このように、実施例１のリニアＰＣＭ処理のＯＦＤＭ送信装置１０１が構成され、信号処理が行われる。
【実施例２】
【００６５】
図３は、本発明の実施例２に係るワイヤレスマイク用ＯＦＤＭ送信装置１０２の構成を示すブロック図である。図２における実施例１のＯＦＤＭ送信装置１０１と同じ構成ブロックは、実施例１と同じ符号を付し、説明を簡略化する。
【００６６】
実施例２に係るワイヤレスマイク用ＯＦＤＭ送信装置１０２は、実施例１のＯＦＤＭ送信装置１０１の構成と比較して、エネルギー拡散部１２と外符号符号化部１３の順序が逆になっている点が相違する。
【００６７】
図３に示すように、ＯＦＤＭ送信装置１０２は、Ａ／Ｄ変換部１１と、外符号符号化部１３と、エネルギー拡散部１２と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例１と同じである。
【００６８】
各構成要素については実施例１と同じであり説明を省略する。
【００６９】
エネルギー拡散部１２において、外符号符号化部１３で付加されたパリティビットと音声データを含めた信号を拡散することができるので、実施例１よりもデータ（エネルギー）の片寄りを減らすことが可能となる。
【実施例３】
【００７０】
図４は、本発明の実施例３に係るワイヤレスマイク用ＯＦＤＭ送信装置１０３の構成を示すブロック図である。実施例３のＯＦＤＭ送信装置１０３は、瞬時圧伸処理によりデータの圧縮（情報量削減）と伸張を行う方式の送信装置である。図２における実施例１のＯＦＤＭ送信装置１０１と同じ構成ブロックは、実施例１と同じ符号を付し、説明を簡略化する。
【００７１】
実施例３に係るワイヤレスマイク用ＯＦＤＭ送信装置１０３は、実施例１のＯＦＤＭ送信装置１０１の構成と比較して、瞬時圧縮部２３からなるデータ圧縮処理部を有している点が相違する。
【００７２】
図４に示すように、ＯＦＤＭ送信装置１０３は、Ａ／Ｄ変換部１１と、瞬時圧縮部２３と、エネルギー拡散部１２と、外符号符号化部１３と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例１と同じである。
【００７３】
各構成要素について説明する。Ａ／Ｄ変換部１１の機能は、実施例１（図２）と同じであり、マイクから入力されるアナログの音声信号をデジタル信号に変換し、瞬時圧縮部２３に出力する。
【００７４】
瞬時圧縮部２３は、入力されたデジタル信号（例えば２４ビット）を瞬時圧縮し、例えばデータ量を半分にして１２ビットのデジタル信号に変換する。瞬時圧縮は、予め２４ｂｉｔ→１２ｂｉｔ圧伸則を定めておき、その対応関係に従ってデータの圧縮をする方法であり、時間遅延を生じることなく、直ちにデータ圧縮をすることができる。また、２４ｂｉｔで量子化を行った後、不要な下位の８ｂｉｔの情報を削除し、その後に１６ｂｉｔ→１２ｂｉｔの圧伸則に従ってデータの圧縮をしても良い。なお、データの圧縮率は１／２に限られるものではなく、必要に応じて適切なデータ量に圧縮を行うことができる。瞬時圧縮部２３で圧縮された信号は、エネルギー拡散部１２に出力される。
【００７５】
その後の信号処理は、実施例１と同様である。エネルギー拡散部１２による出力信号のランダム化処理、外符号符号化部１３によるブロックごとのパリティビットを付加する外符号符号化処理、内符号符号化部１４による内符号の生成処理を経て、内符号出力をキャリア変調部１５に出力する。次いで、キャリア変調部１５でのビットインターリーブ及びＩＱ平面へのマッピングによるキャリア変調信号生成、周波数インターリーブ部１６による隣接データの周波数的な並び替え処理、ＯＦＤＭフレーム構成部１７によるＯＦＤＭセグメントフレーム生成、ＩＦＦＴ部１８でのＩＦＦＴ処理による有効シンボル信号生成、ガードインターバルの挿入によるＯＦＤＭシンボル信号生成、Ｄ／Ａ変換部１９によるＯＦＤＭシンボル信号に対するデジタル／アナログ変換を行う。その後、複数の周波数変換部２０（２０１、２０２）により複数の送信周波数（ｆ１、ｆ２）に信号を変換し、出力合成部２１にて合成して、電力増幅して送信アンテナ２２からＯＦＤＭ変調信号を送信する。
【００７６】
このように、実施例３の瞬時圧伸処理のＯＦＤＭ送信装置１０３が構成され、信号処理が行われる。
【実施例４】
【００７７】
図５は、本発明の実施例４に係るワイヤレスマイク用ＯＦＤＭ送信装置１０４の構成を示すブロック図である。図４における実施例３のＯＦＤＭ送信装置１０３と同じ構成ブロックは、実施例３と同じ符号を付し、説明を簡略化する。
【００７８】
実施例４に係るワイヤレスマイク用ＯＦＤＭ送信装置１０４は、実施例３のＯＦＤＭ送信装置１０３の構成と比較して、エネルギー拡散部１２と外符号符号化部１３の順序が逆になっている点が相違する。
【００７９】
図５に示すように、ＯＦＤＭ送信装置１０４は、Ａ／Ｄ変換部１１と、瞬時圧縮部２３と、外符号符号化部１３と、エネルギー拡散部１２と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例３と同じである。
【００８０】
各構成要素については実施例３と同じであり説明を省略する。
【００８１】
エネルギー拡散部１２において、外符号符号化部１３で付加されたパリティビットと音声データを含めた信号を拡散することができるので、実施例３よりもデータ（エネルギー）の片寄りを減らすことが可能となる。
【実施例５】
【００８２】
図６は、本発明の実施例５に係るワイヤレスマイク用ＯＦＤＭ送信装置１０５の構成を示すブロック図である。実施例５のＯＦＤＭ送信装置１０５は、ＡＤＰＣＭ（adaptive differential pulse code modulation：適応的差分パルス符号変調）処理によりデータの圧縮（符号化）と復元を行う方式の送信装置である。図２における実施例１のＯＦＤＭ送信装置１０１及び図４における実施例３のＯＦＤＭ送信装置１０３と同じ構成ブロックは、実施例１，３と同じ符号を付し、説明を簡略化する。
【００８３】
実施例５に係るワイヤレスマイク用ＯＦＤＭ送信装置１０５は、実施例３のＯＦＤＭ送信装置１０３の構成と比較して、データ圧縮処理部が瞬時圧縮部２３からＡＤＰＣＭ符号化部２４となっている点が相違する。
【００８４】
図６に示すように、ＯＦＤＭ送信装置１０５は、Ａ／Ｄ変換部１１と、ＡＤＰＣＭ符号化部２４と、エネルギー拡散部１２と、外符号符号化部１３と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例１，３と同じである。
【００８５】
各構成要素について説明する。Ａ／Ｄ変換部１１の機能は、実施例１（図２）と同じであり、マイクから入力されるアナログの音声信号をデジタル信号に変換し、ＡＤＰＣＭ符号化部２４に出力する。
【００８６】
ＡＤＰＣＭ符号化部２４は、入力されたデジタル信号（例えば２４ビット）をデータ圧縮（符号化）し、例えば１２ビットのデジタル信号に変換する。なお、圧縮後のデータ量は１２ビットに限られるものではなく、必要に応じて適切なデータ量に圧縮を行うことができる。ＡＤＰＣＭは、過去に復号された信号標本と現在の信号標本との差分信号を符号化する差分パルス符号変調（ＤＰＣＭ、差分ＰＣＭ）を改良した方法であって、適応予測及び適応量子化を利用し、量子化幅を変化させて効率的なデータ圧縮を行うものである。当該技術分野において一般的なデータ圧縮技術であるので、詳細な説明は省くが、ＡＤＰＣＭ符号化処理を利用することより、時間遅延を生じることなくデータ圧縮をすることができる。ＡＤＰＣＭ符号化部２４で圧縮された信号は、エネルギー拡散部１２に出力される。
【００８７】
その後の信号処理は、実施例１及び実施例３と同様である。エネルギー拡散部１２による出力信号のランダム化処理、外符号符号化部１３によるブロックごとのパリティビットを付加する外符号符号化処理、内符号符号化部１４による内符号の生成処理を経て、内符号出力をキャリア変調部１５に出力する。次いで、キャリア変調部１５でのビットインターリーブ及びＩＱ平面へのマッピングによるキャリア変調信号生成、周波数インターリーブ部１６による隣接データの周波数的な並び替え処理、ＯＦＤＭフレーム構成部１７によるＯＦＤＭセグメントフレーム生成、ＩＦＦＴ部１８でのＩＦＦＴ処理による有効シンボル信号生成、ガードインターバルの挿入によるＯＦＤＭシンボル信号生成、Ｄ／Ａ変換部１９によるＯＦＤＭシンボル信号に対するデジタル／アナログ変換を行う。その後、複数の周波数変換部２０（２０１、２０２）により複数の送信周波数（ｆ１、ｆ２）に信号を変換し、出力合成部２１にて合成して、電力増幅して送信アンテナ２２からＯＦＤＭ変調信号を送信する。
【００８８】
このように、実施例５のＡＤＰＣＭ処理のＯＦＤＭ送信装置１０５が構成され、信号処理が行われる。
【実施例６】
【００８９】
図７は、本発明の実施例６に係るワイヤレスマイク用ＯＦＤＭ送信装置１０６の構成を示すブロック図である。図６における実施例５のＯＦＤＭ送信装置１０５と同じ構成ブロックは、実施例５と同じ符号を付し、説明を簡略化する。
【００９０】
実施例６に係るワイヤレスマイク用ＯＦＤＭ送信装置１０６は、実施例５のＯＦＤＭ送信装置１０５の構成と比較して、エネルギー拡散部１２と外符号符号化部１３の順序が逆になっている点が相違する。
【００９１】
図７に示すように、ＯＦＤＭ送信装置１０６は、Ａ／Ｄ変換部１１と、ＡＤＰＣＭ符号化部２４と、外符号符号化部１３と、エネルギー拡散部１２と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例５と同じである。
【００９２】
各構成要素については実施例５と同じであり説明を省略する。
【００９３】
エネルギー拡散部１２において、外符号符号化部１３で付加されたパリティビットと音声データを含めた信号を拡散することができるので、実施例５よりもデータ（エネルギー）の片寄りを減らすことが可能となる。
【実施例７】
【００９４】
図８は、本発明の実施例７に係るワイヤレスマイク用ＯＦＤＭ送信装置１０７の構成を示すブロック図である。実施例７のＯＦＤＭ送信装置１０７は、デジタル音声信号のデータ圧縮手段について、瞬時圧縮処理とＡＤＰＣＭ符号化処理とを選択可能にした方式の送信装置である。図２における実施例１のＯＦＤＭ送信装置１０１、図４における実施例３のＯＦＤＭ送信装置１０３、及び図６における実施例５のＯＦＤＭ送信装置１０５と同じ構成ブロックは、実施例１，３，５と同じ符号を付し、説明を簡略化する。
【００９５】
実施例７に係るワイヤレスマイク用ＯＦＤＭ送信装置１０７は、実施例１，３，５のＯＦＤＭ送信装置１０１，１０３，１０５の構成と比較して、データ圧縮処理部が瞬時圧縮部２３とＡＤＰＣＭ部２４と選択部２５を備えている点が相違する。
【００９６】
図８に示すように、ＯＦＤＭ送信装置１０７は、Ａ／Ｄ変換部１１と、瞬時圧縮部２３と、ＡＤＰＣＭ符号化部２４と、選択部２５と、エネルギー拡散部１２と、外符号符号化部１３と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例１，３，５と同じである。
【００９７】
各構成要素について説明する。Ａ／Ｄ変換部１１の機能は、実施例１（図２）と同じであり、マイクから入力されるアナログの音声信号をデジタル信号に変換し、瞬時圧縮部２３、ＡＤＰＣＭ符号化部２４、及び選択部２５に出力する。
【００９８】
瞬時圧縮部２３は、実施例３と同様に、予め定めた圧伸則の対応関係に従ってデータの瞬時圧縮をし、選択部２５に出力する。また、ＡＤＰＣＭ符号化部２５は、実施例５と同様に、入力されたデジタル信号に対してＡＤＰＣＭ符号化処理を行うことより、時間遅延を生じることなくデータ圧縮（符号化）をし、選択部２５に出力する。
【００９９】
選択部２５は、図示しない外部からの信号により、瞬時圧縮部２３で処理された圧縮データと、ＡＤＰＣＭ符号化部２４で処理された圧縮（符号化）データと、及びＡ／Ｄ変換部１１から直接出力されたデジタルデータの３つのデータのうち、いずれか一つを選択してエネルギー拡散部１２に出力する。
【０１００】
その後の信号処理は、実施例１，３，５と同様である。エネルギー拡散部１２による出力信号のランダム化処理、外符号符号化部１３によるブロックごとのパリティビットを付加する外符号符号化処理、内符号符号化部１４による内符号の生成処理を経て、内符号出力をキャリア変調部１５に出力する。次いで、キャリア変調部１５でのビットインターリーブ及びＩＱ平面へのマッピングによるキャリア変調信号生成、周波数インターリーブ部１６による隣接データの周波数的な並び替え処理、ＯＦＤＭフレーム構成部１７によるＯＦＤＭセグメントフレーム生成、ＩＦＦＴ部１８でのＩＦＦＴ処理による有効シンボル信号生成、ガードインターバルの挿入によるＯＦＤＭシンボル信号生成、Ｄ／Ａ変換部１９によるＯＦＤＭシンボル信号に対するデジタル／アナログ変換を行う。その後、複数の周波数変換部２０（２０１、２０２）により複数の送信周波数（ｆ１、ｆ２）に信号を変換し、出力合成部２１にて合成して、電力増幅して送信アンテナ２２からＯＦＤＭ変調信号を送信する。
【０１０１】
このように、実施例７の圧縮手段選択型のＯＦＤＭ送信装置１０７が構成され、信号処理が行われる。
【実施例８】
【０１０２】
図９は、本発明の実施例８に係るワイヤレスマイク用ＯＦＤＭ送信装置１０８の構成を示すブロック図である。図８における実施例７のＯＦＤＭ送信装置１０７と同じ構成ブロックは、実施例７と同じ符号を付し、説明を簡略化する。
【０１０３】
実施例８に係るワイヤレスマイク用ＯＦＤＭ送信装置１０８は、実施例７のＯＦＤＭ送信装置１０７の構成と比較して、エネルギー拡散部１２と外符号符号化部１３の順序が逆になっている点が相違する。
【０１０４】
図９に示すように、ＯＦＤＭ送信装置１０８は、Ａ／Ｄ変換部１１と、瞬時圧縮部２３と、ＡＤＰＣＭ符号化部２４と、選択部２５と、外符号符号化部１３と、エネルギー拡散部１２と、内符号符号化部１４と、キャリア変調部１５と、周波数インターリーブ部１６と、ＯＦＤＭフレーム構成部１７と、ＩＦＦＴ（Inverse Fast Fourier Transform）部１８と、Ｄ／Ａ変換部１９と、周波数変換部２０１、２０２と、出力合成部２１と、送信アンテナ２２とを備える。これらの構成のうち、キャリア変調部１５と、周波数インターリーブ部１６と、ＯＦＤＭフレーム構成部１７と、ＩＦＦＴ部１８は、ＩＦＦＴ部１８の後の図示しないガードインターバル付加部を含めて、ＯＦＤＭ変調部を構成することは、実施例７と同じである。
【０１０５】
各構成要素については実施例７と同じであり説明を省略する。
【０１０６】
エネルギー拡散部１２において、外符号符号化部１３で付加されたパリティビットと音声データを含めた信号を拡散することができるので、実施例７よりもデータ（エネルギー）の片寄りを減らすことが可能となる。
【０１０７】
（実施の形態２）
本発明の周波数ダイバーシティを実現するＯＦＤＭ受信装置を、実施の形態２として説明する。
【実施例９】
【０１０８】
図１０は、本発明の実施例９に係るワイヤレスマイク用ＯＦＤＭ受信装置２０１の構成を示すブロック図である。実施例９のＯＦＤＭ受信装置２０１は、リニアＰＣＭによる信号処理を行い、データ圧縮を行わないで高品質な音声信号を伝送する方式の受信装置であり、さらに、受信信号のＭＥＲ（Modulation Error Ratio ：変調誤差比）や雑音電力等で信号の品質比較を行う受信装置である。
【０１０９】
図１０に示すように、ＯＦＤＭ受信装置２０１は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、外符号復号部４０と、エネルギー逆拡散部４１と、コンシールメント部４２と、Ｄ／Ａ変換部４３とを備える。なお、図１０においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。これらの構成のうち、図示しないガードインターバル除去部と、ＦＦＴ部３４、信号品質算出部３５と、比較・選択・合成部３６と、周波数デインターリーブ部３７と、キャリア復調部３８は、ＯＦＤＭ復調部を構成する。
【０１１０】
各構成要素について説明する。アンテナ３１（３１１〜３１４）は、それぞれ対応した周波数（ｆ１〜ｆ４）の無線周波数信号（ＯＦＤＭ信号）を受信する。
【０１１１】
高周波部３２（３２１〜３２４）は、アンテナ３１（３１１〜３１４）で受信されたそれぞれの無線周波数（ｆ１〜ｆ４）の信号を所定の中間周波数に周波数変換する。なお、各高周波部３２（３２１〜３２４）は、送信側からの任意の送信周波数に対応することができるように、受信可能な無線周波数（ｆ１〜ｆ４）を可変にすることが望ましい。中間周波数に変換された信号は、Ａ／Ｄ変換部３３（３３１〜３３４）送られる。
【０１１２】
Ａ／Ｄ変換部３３（３３１〜３３４）は、信号をアナログ／デジタル変換し、デジタル信号を出力する。その後、それぞれ図示しないガードインターバル除去部によりガードインターバルが除去された後、ＦＦＴ部３４（３４１〜３４４）に入力される。
【０１１３】
ＦＦＴ部３４（３４１〜３４４）は、デジタル化された信号に対してＦＦＴ（Fast Fourier Transform：高速フーリエ変換）処理を施す。ＦＦＴ部３４の出力信号は、信号品質算出部３５（３５１〜３５４）に出力される。
【０１１４】
信号品質算出部３５（３５１〜３５４）は、ＦＦＴ処理後の信号に対して、ＭＥＲ（Modulation Error Ratio ：変調誤差比）や雑音電力等をそれぞれ算出し、ＦＦＴ処理後の信号とともに、その信号の品質を示すデータとして比較・選択・合成部３６に出力する。
【０１１５】
比較・選択・合成部３６は、信号品質算出部３５（３５１〜３５４）から出力された信号品質データとしてのＭＥＲや雑音電力等を比較し、各系統を経たＦＦＴ処理後の信号から品質の良い信号を選択し、必要に応じて信号の合成を行う。信号の合成を行うことにより利得を得ることができる。比較・選択・合成部３６の処理としては、例えば、（１）ＭＥＲが最大の信号を選択して出力する処理、（２）所定の値以上のＭＥＲを示す信号を選択して、選択された信号を最大比合成により合成して出力する処理、（３）雑音電力が最小の信号を選択して出力する処理、（４）所定の値以下の雑音電力を示す信号を選択して、選択された信号を最大比合成により合成して出力する処理、等が想定されるが適切な手段を選択して処理を行うことができる。なお、上記（２）の処理を選択する場合、「所定の値以上のＭＥＲ」として受信可能な信号品質にある信号を全て選択するように設定することもできる。同様に上記（４）の処理を選択する場合、「所定の値以下の雑音電力」として受信可能な信号品質（CN比）にある信号をすべて選択するように設定することもできる。レーダーパルス等の影響を受けた場合には、レーダーパルスの伝送帯域幅に含まれる無線周波数で送信された信号は品質が劣化し使用できなくなる場合が多いが、他の無線周波数で送られた信号を選択・合成することができる。また、いずれの無線周波数もレーダーパルスの干渉を受けていない場合には、各系統の信号を全て合成して利得を得ることができ、従来と比較して感度が高く、品質の良い受信が可能となる。比較・選択・合成部３６により選択又は合成された信号は、周波数デインターリーブ部３７に出力される。
【０１１６】
周波数デインターリーブ部３７は、比較・選択・合成部３６で選択又は合成されたＦＦＴ部３４（３４１〜３４４）からの信号に対して、周波数デインターリーブ処理を行い、周波数的に並び替えられたデータを元に戻す。
【０１１７】
キャリア復調部３８は、周波数デインターリーブ部３７から入力される信号に対して、キャリアごとに復調を行い、内符号復号部３９に出力する。キャリア復調部３８は、その内部に図示しないデマッピング部とビットデインターリーブ部を備えており、推定された伝送路特性に基づいて、図示しないデマッピング部でＩ信号値とＱ信号値を得て、ビット単位のデータに復調する。また、図示しないビットデインターリーブ部において、送信側のキャリア変調部１５においてビット単位で並べ替えたデータを、元の配列に戻す。
【０１１８】
内符号復号部３９は、キャリア復調部３８から入力される信号を内符号復号処理する。内符号復号部３９は、ビタビ復号等の復号化処理では復号・訂正しきれないデータが生じた場合、後述するコンシールメント部４２に対して、どのビットに誤りが含まれているかとの情報を有する「誤り情報」を送信するように構成することができる。
【０１１９】
次に、外符号復号部４０は、送信側で付加した誤り訂正符号を利用して、誤り訂正又は誤り検出を行う。伝送路において生じた誤りが離散的であれば、誤り訂正符号を利用して、誤りを正確に訂正することが可能である。しかしながら、時間的に連続するバーストノイズが発生した場合には、誤り訂正符号を利用しても、外符号復号部４０でデータ復元ができなくなる場合がある。このような場合は、外符号復号部４０は、誤り訂正符号を利用して復号・訂正処理したデータとともに、訂正しきれなかったデータの情報、すなわち、どの音声信号のブロックに誤りが含まれているかとの情報を有する「誤り情報」をコンシールメント部４２に送る。また、ＣＲＣ符号を利用して、誤りの有無を「エラーフラグ」として出力することも有効な手段である。
【０１２０】
エネルギー逆拡散部４１は、エネルギー逆拡散を施して、元の信号出力に戻し、コンシールメント部４２に出力する。
【０１２１】
コンシールメント部４２は、内符号復号部３９及び／又は外符号復号部４０から送られた誤り情報に基づいて、訂正できなかった誤りデータに対してコンシールメント処理を行う。なお、「コンシールメント」とは、誤りデータを正確に元のデータに訂正するのではなく、当該誤りデータを他の値で代替することにより修正又は修復することを意味する。これにより、実質的なデータの訂正効果を得ることができる。誤り情報は、内符号復号部３９と外符号復号部４０の少なくとも一方から送られるようにすれば良く、直前の外符号復号部４０から送られた誤り情報に基づいてコンシールメント処理を行うのが効率的である。
【０１２２】
コンシールメント処理としては、次のようなものが考えられ、いずれか最適な処理を選択すれば良い。
１）データが誤りの場合、誤りが発生する直前の値を保持する。
２）データが誤りの場合、一定値を挿入する。
３）データが誤りの場合、零値を挿入する。
４）データが誤りの場合、一定値を挿入して、帯域制限フィルタ処理を施す。
５）データが誤りの場合、零値を挿入して、帯域制限フィルタ処理を施す。
６）データが誤りの場合、前後のデータで線形補間を行う。
ここで、帯域制限フィルタ処理は、音声帯域である２０Ｈｚ〜２０ｋＨｚのバンドパスフィルタを通過させることにより、不自然な信号データを除去する処理である。
【０１２３】
このようなコンシールメント処理を行った後、コンシールメント部４２は、データをＤ／Ａ変換部４３に出力する。
【０１２４】
Ｄ／Ａ変換部４３は、処理されたデジタルデータを、デジタル／アナログ変換し、アナログ音声信号を出力する。
【０１２５】
このように実施の形態２にかかるＯＦＤＭ受信装置によれば、周波数ダイバーシティにより２つの無線周波数で送信されたＯＦＤＭ信号のうち、信号品質が良好な信号を利用して復調・復号処理を行うことにより、ノイズの無い音声出力を得ることができる。
【実施例１０】
【０１２６】
図１１は、本発明の実施例１０に係るワイヤレスマイク用ＯＦＤＭ受信装置２０２の構成を示すブロック図である。図１０における実施例９のＯＦＤＭ受信装置２０１と同じ構成ブロックは、実施例９と同じ符号を付し、説明を簡略化する。
【０１２７】
実施例１０に係るワイヤレスマイク用ＯＦＤＭ受信装置２０２は、実施例９のＯＦＤＭ受信装置２０１の構成と比較して、外符号復号部４０とエネルギー逆拡散部４１の順序が逆になっている点が相違する。
【０１２８】
図１１に示すように、ＯＦＤＭ受信装置２０２は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、エネルギー逆拡散部４１と、外符号復号部４０と、コンシールメント部４２と、Ｄ／Ａ変換部４３とを備える。これらの構成のうち、図示しないガードインターバル除去部と、ＦＦＴ部３４、信号品質算出部３５と、比較・選択・合成部３６と、周波数デインターリーブ部３７と、キャリア復調部３８は、ＯＦＤＭ復調部を構成する。
【０１２９】
各構成要素については実施例９と同じであり説明を省略する。
【０１３０】
なお、実施例９のＯＦＤＭ受信装置２０１と実施例１０のＯＦＤＭ受信装置２０２との選択については、送信側が、エネルギー拡散部の後段に外符号符号化部を設けた構成（実施例１）の場合は、受信側では、外符号復号部の後段にエネルギー逆拡散部を設ける構成（実施例９）を採用し、送信側が、外符号符号化部の後段にエネルギー拡散部を設けた構成（実施例２）の場合は、受信側では、エネルギー逆拡散部の後段に外符号復号部を設ける構成（実施例１０）を採用することが望ましい。この送信側と受信側の構成の対応関係は、他の実施例においても同じである。
【実施例１１】
【０１３１】
図１２は、本発明の実施例１１に係るワイヤレスマイク用ＯＦＤＭ受信装置２０３の構成を示すブロック図である。実施例１１のＯＦＤＭ受信装置２０３は、瞬時圧伸処理によりデータの圧縮と伸張を行う方式の受信装置であり、さらに、受信信号のＭＥＲ（Modulation Error Ratio ：変調誤差比）や雑音電力等で信号の品質比較を行う受信装置である。図１０における実施例９のＯＦＤＭ受信装置２０１と同じ構成ブロックは、実施例９と同じ符号を付し、説明を簡略化する。
【０１３２】
実施例１１に係るワイヤレスマイク用ＯＦＤＭ受信装置２０３は、実施例９のＯＦＤＭ受信装置２０１の構成と比較して、瞬時伸長部４４からなる圧縮データの復元処理部を有している点が相違する。
【０１３３】
図１２に示すように、ＯＦＤＭ受信装置２０３は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、外符号復号部４０と、エネルギー逆拡散部４１と、コンシールメント部４２と、瞬時伸張部４４と、Ｄ／Ａ変換部４３とを備える。なお、図１２においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１３４】
各構成要素について説明する。図１２において、アンテナ３１（３１１〜３１４）からコンシールメント部４２までの処理は、図１０の実施例９と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施されて、信号品質算出部３５（３５１〜３５４）に出力される。信号品質算出部３５（３５１〜３５４）は、ＦＦＴ処理後の信号に対してＭＥＲや雑音電力等をそれぞれ算出し、比較・選択・合成部３６は、信号品質データとしてのＭＥＲや雑音電力等を比較し、各系統を経たＦＦＴ処理後の信号から品質の良い信号を選択し、必要に応じて信号の合成を行う。
【０１３５】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。その後、コンシールメント部４２は、データを瞬時伸張部４４に出力する。
【０１３６】
瞬時伸張部４４は、入力されたデジタル信号（例えば１２ビット）を瞬時伸張し、例えば２４ビットのデジタル信号に変換する。この瞬時伸張には、予め設定した圧伸則を用いることにより、時間遅延を生じることなくデータの伸張処理ができる。瞬時伸張部４４で伸張された信号は、Ｄ／Ａ変換部４３に出力される。
【０１３７】
Ｄ／Ａ変換部４１は、伸張されたデジタルデータを、デジタル／アナログ変換し、アナログ音声信号を出力する。
【０１３８】
なお、図１２では、コンシールメント処理を行った後に瞬時伸張を行っているが、コンシールメント部４２と瞬時伸張部４４との配置を入れ替えて、瞬時伸張を行ったデータに対してコンシールメント処理を行うこともできる。
【０１３９】
このように、実施例１１のＯＦＤＭ受信装置２０３が構成され、信号処理が行われる。
【実施例１２】
【０１４０】
図１３は、本発明の実施例１２に係るワイヤレスマイク用ＯＦＤＭ受信装置２０４の構成を示すブロック図である。図１２における実施例１１のＯＦＤＭ受信装置２０３と同じ構成ブロックは、実施例１１と同じ符号を付し、説明を簡略化する。
【０１４１】
実施例１２に係るワイヤレスマイク用ＯＦＤＭ受信装置２０４は、実施例１１のＯＦＤＭ受信装置２０３の構成と比較して、外符号復号部４０とエネルギー逆拡散部４１の順序が逆になっている点が相違する。
【０１４２】
図１３に示すように、ＯＦＤＭ受信装置２０４は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、エネルギー逆拡散部４１と、外符号復号部４０と、コンシールメント部４２と、瞬時伸長部４４と、Ｄ／Ａ変換部４３とを備える。これらの構成のうち、図示しないガードインターバル除去部と、ＦＦＴ部３４、信号品質算出部３５と、比較・選択・合成部３６と、周波数デインターリーブ部３７と、キャリア復調部３８は、ＯＦＤＭ復調部を構成する。
【０１４３】
各構成要素については実施例１１と同じであり説明を省略する。
【実施例１３】
【０１４４】
図１４は、本発明の実施例１３に係るワイヤレスマイク用ＯＦＤＭ受信装置２０５の構成を示すブロック図である。実施例１３のＯＦＤＭ受信装置２０５は、ＡＤＰＣＭ処理によりデータの圧縮（符号化）と復元を行う方式の受信装置であり、さらに、受信信号のＭＥＲ（Modulation Error Ratio ：変調誤差比）や雑音電力等で信号の品質比較を行う受信装置である。図１０における実施例９のＯＦＤＭ受信装置２０１及び図１２における実施例１１のＯＦＤＭ受信装置２０３と同じ構成ブロックは、実施例９，１１と同じ符号を付し、説明を簡略化する。
【０１４５】
実施例１３に係るワイヤレスマイク用ＯＦＤＭ受信装置２０５は、実施例１１のＯＦＤＭ受信装置２０３の構成と比較して、圧縮データの復元処理部が瞬時伸長部４４からＡＤＰＣＭ復号部４５となっている点が相違する。
【０１４６】
図１４に示すように、ＯＦＤＭ受信装置２０５は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、外符号復号部４０と、エネルギー逆拡散部４１と、コンシールメント部４２と、ＡＤＰＣＭ復号部４５と、Ｄ／Ａ変換部４３とを備える。なお、図１４においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１４７】
各構成要素について説明する。図１４において、アンテナ３１（３１１〜３１４）からコンシールメント部４２までの処理は、図１０，１２の実施例９，１１と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施されて、信号品質算出部３５（３５１〜３５４）に出力される。信号品質算出部３５（３５１〜３５４）は、ＦＦＴ処理後の信号に対してＭＥＲや雑音電力等をそれぞれ算出し、比較・選択・合成部３６は、信号品質データとしてのＭＥＲや雑音電力等を比較し、各系統を経たＦＦＴ処理後の信号から品質の良い信号を選択し、必要に応じて信号の合成を行う。
【０１４８】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。その後、コンシールメント部４２は、データをＡＤＰＣＭ復号部４５に出力する。
【０１４９】
ＡＤＰＣＭ復号部４５は、入力されたデジタル信号（例えば１２ビット）をＡＤＰＣＭ復号処理により、元の２４ビットのデジタル信号に復号する。この復号処理は、ＡＤＰＣＭ符号化の逆処理であって、公知の手段を利用して、時間遅延を生じることなくデータの復号処理ができる。ＡＤＰＣＭ復号部４５で復号された信号は、Ｄ／Ａ変換部４３に出力される。
【０１５０】
Ｄ／Ａ変換部４３は、復元されたデジタルデータを、デジタル／アナログ変換し、アナログ音声信号を出力する。
【０１５１】
なお、図１４では、コンシールメント処理を行った後にＡＤＰＣＭ復号処理を行っているが、コンシールメント部４２とＡＤＰＣＭ復号部４５との配置を入れ替えて、ＡＤＰＣＭ復号処理を行ったデータに対してコンシールメント処理を行うこともできる。
【０１５２】
このように、実施例１３のＯＦＤＭ受信装置２０５が構成され、信号処理が行われる。
【実施例１４】
【０１５３】
図１５は、本発明の実施例１４に係るワイヤレスマイク用ＯＦＤＭ受信装置２０６の構成を示すブロック図である。図１４における実施例１３のＯＦＤＭ受信装置２０５と同じ構成ブロックは、実施例１３と同じ符号を付し、説明を簡略化する。
【０１５４】
実施例１４に係るワイヤレスマイク用ＯＦＤＭ受信装置２０６は、実施例１３のＯＦＤＭ受信装置２０５の構成と比較して、外符号復号部４０とエネルギー逆拡散部４１の順序が逆になっている点が相違する。
【０１５５】
図１５に示すように、ＯＦＤＭ受信装置２０６は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、エネルギー逆拡散部４１と、外符号復号部４０と、コンシールメント部４２と、ＡＤＰＣＭ復号部４５と、Ｄ／Ａ変換部４３とを備える。これらの構成のうち、図示しないガードインターバル除去部と、ＦＦＴ部３４、信号品質算出部３５と、比較・選択・合成部３６と、周波数デインターリーブ部３７と、キャリア復調部３８は、ＯＦＤＭ復調部を構成する。
【０１５６】
各構成要素については実施例１３と同じであり説明を省略する。
【実施例１５】
【０１５７】
図１６は、本発明の実施例１５に係るワイヤレスマイク用ＯＦＤＭ受信装置２０７の構成を示すブロック図である。実施例１５のＯＦＤＭ受信装置２０７は、リニアＰＣＭ処理とデータの瞬時圧伸処理とＡＤＰＣＭ処理を選択可能な方式の受信装置であり、さらに、受信信号のＭＥＲや雑音電力等で信号の品質比較を行う受信装置である。図１０，１２，１４における実施例９，１１，１３のＯＦＤＭ受信装置２０１，２０３，２０５と同じ構成ブロックは、実施例９，１１，１３と同じ符号を付し、説明を簡略化する。
【０１５８】
実施例１５に係るワイヤレスマイク用ＯＦＤＭ受信装置２０７は、実施例９，１１，１３のＯＦＤＭ受信装置２０１，２０３，２０５の構成と比較して、圧縮データの復元処理部として、瞬時伸張部４４と、ＡＤＰＣＭ復号部４５と、その選択部４６を備えている点が相違する。
【０１５９】
図１６に示すように、ＯＦＤＭ受信装置２０７は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、外符号復号部４０と、エネルギー逆拡散部４１と、コンシールメント部４２と、瞬時伸張部４４と、ＡＤＰＣＭ復号部４５と、選択部４６と、Ｄ／Ａ変換部４３とを備える。なお、図１６においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１６０】
各構成要素について説明する。図１６において、アンテナ３１（３１１〜３１４）からコンシールメント部４２までの処理は、図１０，１２，１４の実施例９，１１，１３と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施されて、信号品質算出部３５（３５１〜３５４）に出力される。信号品質算出部３５（３５１〜３５４）は、ＦＦＴ処理後の信号に対してＭＥＲや雑音電力等をそれぞれ算出し、比較・選択・合成部３６は、信号品質データとしてのＭＥＲや雑音電力等を比較し、各系統を経たＦＦＴ処理後の信号から品質の良い信号を選択し、必要に応じて信号の合成を行う。
【０１６１】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。その後、コンシールメント部４２は、データを瞬時伸張部４４と、ＡＤＰＣＭ復号部４５と、選択部４６に出力する。
【０１６２】
瞬時伸張部４４は、実施例１１と同じく入力されたデジタル信号（圧縮されたデータ）を所定の圧伸則に基づいて瞬時伸張し、選択部４６に出力する。また、ＡＤＰＣＭ復号部４５は、実施例１３と同じく入力されたデジタル信号をＡＤＰＣＭ復号処理により元のビット数のデジタル信号に変換し、選択部４６に出力する。
【０１６３】
選択部４６は、図示しない外部からの信号により、瞬時伸張部４４で処理された伸張データと、ＡＤＰＣＭ復号部４５で処理された復号データと、コンシールメント部４２から直接入力された信号とのうち、送信側で選択したデータ圧縮手段に対応する処理を選択して、Ｄ／Ａ変換部４３に出力する。
【０１６４】
Ｄ／Ａ変換部４３は、復元されたデジタルデータを、デジタル／アナログ変換し、アナログ音声信号を出力する。
【０１６５】
なお、図１６では、コンシールメント処理を行った後に圧縮データの復元と選択を行っているが、コンシールメント部４２を選択部４６の後に配置して、圧縮データの復元処理を行った後にコンシールメント処理を行うこともできる。
【０１６６】
このように、実施例１５のＯＦＤＭ受信装置２０７が構成され、信号処理が行われる。
【実施例１６】
【０１６７】
図１７は、本発明の実施例１６に係るワイヤレスマイク用ＯＦＤＭ受信装置２０８の構成を示すブロック図である。図１６における実施例１５のＯＦＤＭ受信装置２０７と同じ構成ブロックは、実施例１５と同じ符号を付し、説明を簡略化する。
【０１６８】
実施例１６に係るワイヤレスマイク用ＯＦＤＭ受信装置２０８は、実施例１５のＯＦＤＭ受信装置２０７の構成と比較して、外符号復号部４０とエネルギー逆拡散部４１の順序が逆になっている点が相違する。
【０１６９】
図１７に示すように、ＯＦＤＭ受信装置２０８は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、信号品質算出部３５（３５１〜３５４）と、比較・選択・合成部３６と、周波数デインターリーブ部３７と、キャリア復調部３８と、内符号復号部３９と、エネルギー逆拡散部４１と、外符号復号部４０と、コンシールメント部４２と、瞬時伸長部４４と、ＡＤＰＣＭ復号部４５と、選択部４６と、Ｄ／Ａ変換部４３とを備える。これらの構成のうち、図示しないガードインターバル除去部と、ＦＦＴ部３４、信号品質算出部３５と、比較・選択・合成部３６と、周波数デインターリーブ部３７と、キャリア復調部３８は、ＯＦＤＭ復調部を構成する。
【０１７０】
各構成要素については実施例１５と同じであり説明を省略する。
【実施例１７】
【０１７１】
図１８は、本発明の実施例１７に係るワイヤレスマイク用ＯＦＤＭ受信装置２０９の構成を示すブロック図である。実施例１７のＯＦＤＭ受信装置２０９は、リニアＰＣＭによる信号処理を行い、データ圧縮を行わないで高品質な音声信号を伝送する方式の受信装置であり、さらに、受信信号の内符号復号部による処理を行った後のエラー信号を利用して受信信号の選択・合成を行う受信装置である。図１０ないし図１７における実施例９〜１６のＯＦＤＭ受信装置２０１〜２０８と同じ構成ブロックは、同じ符号を付し、説明を簡略化する。
【０１７２】
図１８に示すように、ＯＦＤＭ受信装置２０９は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、外符号復号部４０と、エネルギー逆拡散部４１と、コンシールメント部４２と、Ｄ／Ａ変換部４３とを備える。このうち復調部５０（５０１〜５０４）は、周波数デインターリーブ部３７と、キャリア復調部３８と、内符号復号部３９とから成る。なお、図１８においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１７３】
各構成要素について説明する。図１８において、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施されることは、実施例９〜１６と同じである。ＦＦＴ処理された信号は、復調部５０（５０１〜５０４）に入力される。
【０１７４】
復調部５０（５０１〜５０４）は、それぞれ、周波数デインターリーブ部３７と、キャリア復調部３８と、内符号復号部３９とから成る。周波数デインターリーブ部３７は周波数デインターリーブ処理を行い、周波数的に並び替えられたデータを元に戻し、また、キャリア復調部３８は、キャリアごとに復調を行い、推定された伝送路特性に基づいてデマッピング処理を行いＩ信号値とＱ信号値を得てビットデータに復調し、ビットデインターリーブ処理により、ビット単位で並べ替えたデータを元の配列に戻す。内符号復号部３９は、キャリア復調部３８から入力される信号を内符号復号処理し、復号処理で復号・訂正しきれないデータが生じた場合、誤りが生じていることを示す「エラーフラグ」を出力する。結局、復調部５０は、内符号復号部３６までの処理で復号したデータを比較・選択・合成部５１に出力するとともに、それまでの復号処理に誤りが生じた場合に、「エラーフラグ」を比較・選択・合成部５１に出力する。
【０１７５】
比較・選択・合成部５１は、復調部５０（５０１〜５０４）から出力された「エラーフラグ」を利用して、内符号復号処理までを経た各系統の信号（復調部５０からの出力信号）から品質の良い信号を選択し、必要に応じて信号の合成を行う。比較・選択・合成部５１の処理としては、例えば、（１）エラーフラグに基づきエラー無しの信号を選択して出力する処理、（２）エラーフラグに基づきエラー無しの信号を全て選択して、選択された信号を最大比合成により合成して出力する処理、（３）エラーフラグを用いることなく復調部５０（５０１〜５０４）の各出力信号に基づく多数決判定、等が想定されるが適切な手段を選択して処理を行うことができる。比較・選択・合成部５１により選択又は合成された信号は、外符号復号部４０に出力される。
【０１７６】
外符号復号部４０以降の処理は、実施例９と同じである。すなわち、外符号復号部４０は、送信側で付加した誤り訂正符号を利用して、復号と誤り訂正又は誤り検出を行い、復号・訂正処理したデータとともに、訂正しきれなかったデータの情報、すなわち、どのブロックに誤りが含まれているかとの情報を有する「誤り情報」をコンシールメント部４２に送り、エネルギー逆拡散部４１は、エネルギー逆拡散を施して、元の信号出力に戻す。
【０１７７】
コンシールメント部４２は、外符号復号部４０から送られた誤り情報に基づいて、訂正できなかった誤りデータに対して、誤りが発生する直前の値を保持する等のコンシールメント処理を行い、処理を行った後のデータをＤ／Ａ変換部４３に出力する。Ｄ／Ａ変換部４３は、信号をデジタル／アナログ変換し、アナログ音声信号を出力する。
【０１７８】
このように、実施例１７のＯＦＤＭ受信装置２０９が構成され、信号処理が行われる。
【実施例１８】
【０１７９】
図１９は、本発明の実施例１８に係るワイヤレスマイク用ＯＦＤＭ受信装置２１０の構成を示すブロック図である。図１８における実施例１７のＯＦＤＭ受信装置２０９と同じ構成ブロックは、実施例１７と同じ符号を付し、説明を簡略化する。
【０１８０】
実施例１８に係るワイヤレスマイク用ＯＦＤＭ受信装置２１０は、実施例１７のＯＦＤＭ受信装置２０９の構成と比較して、外符号復号部４０とエネルギー逆拡散部４１の順序が逆になっている点が相違する。
【０１８１】
図１９に示すように、ＯＦＤＭ受信装置２１０は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、エネルギー逆拡散部４１と、外符号復号部４０と、コンシールメント部４２と、Ｄ／Ａ変換部４３とを備える。なお、ＦＦＴ部３４の前には、それぞれ図示しないガードインターバル除去部を備えている。
【０１８２】
各構成要素については実施例１７と同じであり説明を省略する。
【実施例１９】
【０１８３】
図２０は、本発明の実施例１９に係るワイヤレスマイク用ＯＦＤＭ受信装置２１１の構成を示すブロック図である。実施例１９のＯＦＤＭ受信装置２１１は、瞬時圧伸処理によりデータの圧縮と伸張を行う方式の受信装置であり、さらに、受信信号の内符号復号部による処理を行った後のエラー信号を利用して受信信号の選択・合成を行う受信装置である。図１０ないし図１９における実施例９〜１８のＯＦＤＭ受信装置２０１〜２１０と同じ構成ブロックは、同じ符号を付し、説明を簡略化する。
【０１８４】
図２０に示すように、ＯＦＤＭ受信装置２１１は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、外符号復号部４０と、エネルギー逆拡散部４１と、コンシールメント部４２と、瞬時伸張部４４と、Ｄ／Ａ変換部４３とを備える。このうち復調部５０（５０１〜５０４）は、周波数デインターリーブ部３７と、キャリア復調部３８と、内符号復号部３９とから成る。なお、図２０においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１８５】
各構成要素について説明する。図２０において、アンテナ３１（３１１〜３１４）からコンシールメント部４２までの処理は、図１８の実施例１７と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５０（５０１〜５０４）に入力される。
【０１８６】
復調部５０（５０１〜５０４）は、周波数デインターリーブ部３７と、キャリア復調部３８と、内符号復号部３９の処理に基づいて、内符号復号部３９までの処理で復号したデータを比較・選択・合成部５１に出力するとともに、それまでの復号処理に誤りが生じた場合に、「エラーフラグ」を比較・選択・合成部５１に出力する。
【０１８７】
比較・選択・合成部５１は、復調部５０（５０１〜５０４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、外符号復号部４０にて復号と誤り訂正又は誤り検出を行い、エネルギー逆拡散部４１によるエネルギー逆拡散を施し、さらに、コンシールメント部４２により、外符号復号部４０から送られた誤り情報に基づいて、訂正できなかった誤りデータに対してコンシールメント処理を行う。その後、瞬時伸張部４４は、予め設定した圧伸則を用いて、入力されたデジタル信号を瞬時伸張し、Ｄ／Ａ変換部４３は、伸張されたデジタルデータを、デジタル／アナログ変換し、アナログ音声信号を出力する。
【０１８８】
このように、実施例１９のＯＦＤＭ受信装置２１１が構成され、信号処理が行われる。
【実施例２０】
【０１８９】
図２１は、本発明の実施例２０に係るワイヤレスマイク用ＯＦＤＭ受信装置２１２の構成を示すブロック図である。図２０における実施例１９のＯＦＤＭ受信装置２１１と同じ構成ブロックは、実施例１９と同じ符号を付し、説明を簡略化する。
【０１９０】
実施例２０に係るワイヤレスマイク用ＯＦＤＭ受信装置２１２は、実施例１９のＯＦＤＭ受信装置２１１の構成と比較して、外符号復号部４０とエネルギー逆拡散部４１の順序が逆になっている点が相違する。
【０１９１】
図２１に示すように、ＯＦＤＭ受信装置２１２は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、エネルギー逆拡散部４１と、外符号復号部４０と、コンシールメント部４２と、瞬時伸長部４４と、Ｄ／Ａ変換部４３とを備える。なお、ＦＦＴ部３４の前には、それぞれ図示しないガードインターバル除去部を備えている。
【０１９２】
各構成要素については実施例１９と同じであり説明を省略する。
【実施例２１】
【０１９３】
図２２は、本発明の実施例２１に係るワイヤレスマイク用ＯＦＤＭ受信装置２１３の構成を示すブロック図である。実施例２１のＯＦＤＭ受信装置２１３は、ＡＤＰＣＭ処理によりデータの圧縮（符号化）と復元を行う方式の受信装置であり、さらに、受信信号の内符号復号部による処理を行った後のエラー信号を利用して受信信号の選択・合成を行う受信装置である。図１０ないし図２１における実施例９〜２０のＯＦＤＭ受信装置２０１〜２１２と同じ構成ブロックは、同じ符号を付し、説明を簡略化する。
【０１９４】
図２２に示すように、ＯＦＤＭ受信装置２１３は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、外符号復号部４０と、エネルギー逆拡散部４１と、コンシールメント部４２と、ＡＤＰＣＭ復号部４５と、Ｄ／Ａ変換部４３とを備える。このうち復調部５０（５０１〜５０４）は、周波数デインターリーブ部３７と、キャリア復調部３８と、内符号復号部３９とから成る。なお、図２２においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０１９５】
各構成要素について説明する。図２２において、アンテナ３１（３１１〜３１４）からコンシールメント部４２までの処理は、図１８，２０の実施例１７，１９と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５０（５０１〜５０４）に入力される。
【０１９６】
復調部５０（５０１〜５０４）は、周波数デインターリーブ部３７と、キャリア復調部３８と、内符号復号部３９の処理に基づいて、内符号復号部３９までの処理で復号したデータを比較・選択・合成部５１に出力するとともに、それまでの復号処理に誤りが生じた場合に、「エラーフラグ」を比較・選択・合成部５１に出力する。
【０１９７】
比較・選択・合成部５１は、復調部５０（５０１〜５０４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、外符号復号部４０にて復号と誤り訂正又は誤り検出を行い、エネルギー逆拡散部４１によるエネルギー逆拡散を施し、さらに、コンシールメント部４２により、外符号復号部４０から送られた誤り情報に基づいて、訂正できなかった誤りデータに対してコンシールメント処理を行う。その後、ＡＤＰＣＭ復号部４５は、入力されたデジタル信号をＡＤＰＣＭ復号処理により、元のビット数のデジタル信号に復号する。ＡＤＰＣＭ復号部４５で復号された信号は、Ｄ／Ａ変換部４３に出力され、Ｄ／Ａ変換部４３は、復号されたデジタルデータを、デジタル／アナログ変換し、アナログ音声信号を出力する。
【０１９８】
このように、実施例２１のＯＦＤＭ受信装置２１３が構成され、信号処理が行われる。
【実施例２２】
【０１９９】
図２３は、本発明の実施例２２に係るワイヤレスマイク用ＯＦＤＭ受信装置２１４の構成を示すブロック図である。図２２における実施例２１のＯＦＤＭ受信装置２１３と同じ構成ブロックは、実施例２１と同じ符号を付し、説明を簡略化する。
【０２００】
実施例２２に係るワイヤレスマイク用ＯＦＤＭ受信装置２１４は、実施例２１のＯＦＤＭ受信装置２１３の構成と比較して、外符号復号部４０とエネルギー逆拡散部４１の順序が逆になっている点が相違する。
【０２０１】
図２３に示すように、ＯＦＤＭ受信装置２１４は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、エネルギー逆拡散部４１と、外符号復号部４０と、コンシールメント部４２と、ＡＤＰＣＭ復号部４５と、Ｄ／Ａ変換部４３とを備える。なお、ＦＦＴ部３４の前には、それぞれ図示しないガードインターバル除去部を備えている。
【０２０２】
各構成要素については実施例２１と同じであり説明を省略する。
【実施例２３】
【０２０３】
図２４は、本発明の実施例２３に係るワイヤレスマイク用ＯＦＤＭ受信装置２１５の構成を示すブロック図である。実施例２３のＯＦＤＭ受信装置２１５は、リニアＰＣＭ処理とデータの瞬時圧伸処理とＡＤＰＣＭ処理を選択可能な方式の受信装置であり、さらに、受信信号の内符号復号部による処理を行った後のエラー信号を利用して受信信号の選択・合成を行う受信装置である。図１０ないし図２３における実施例９〜２２のＯＦＤＭ受信装置２０１〜２１４と同じ構成ブロックは、同じ符号を付し、説明を簡略化する。
【０２０４】
図２４に示すように、ＯＦＤＭ受信装置２１５は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、外符号復号部４０と、エネルギー逆拡散部４１と、コンシールメント部４２と、瞬時伸張部４４と、ＡＤＰＣＭ復号部４５と、選択部４６と、Ｄ／Ａ変換部４３とを備える。このうち復調部５０（５０１〜５０４）は、周波数デインターリーブ部３７と、キャリア復調部３８と、内符号復号部３９とから成る。なお、図２４においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０２０５】
各構成要素について説明する。図２４において、アンテナ３１（３１１〜３１４）からコンシールメント部４２までの処理は、図１８，２０，２２の実施例１７，１９，２１と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５０（５０１〜５０４）に入力される。
【０２０６】
復調部５０（５０１〜５０４）は、周波数デインターリーブ部３７と、キャリア復調部３８と、内符号復号部３９の処理に基づいて、内符号復号部３９までの処理で復号したデータを比較・選択・合成部５１に出力するとともに、それまでの復号処理に誤りが生じた場合に、「エラーフラグ」を比較・選択・合成部５１に出力する。
【０２０７】
比較・選択・合成部５１は、復調部５０（５０１〜５０４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、外符号復号部４０にて復号と誤り訂正又は誤り検出を行い、エネルギー逆拡散部４１によるエネルギー逆拡散を施し、さらに、コンシールメント部４２により、外符号復号部４０から送られた誤り情報に基づいて、訂正できなかった誤りデータに対してコンシールメント処理を行う。その後、コンシールメント部４２は、データを瞬時伸張部４４と、ＡＤＰＣＭ復号部４５と、選択部４６に出力する。
【０２０８】
瞬時伸張部４４は、実施例１９と同じく入力されたデジタル信号（圧縮されたデータ）を所定の圧伸則に基づいて瞬時伸張し、選択部４６に出力する。また、ＡＤＰＣＭ復号部４５は、実施例２１と同じく入力されたデジタル信号をＡＤＰＣＭ復号処理により元のビット数のデジタル信号に復号し、選択部４６に出力する。
【０２０９】
選択部４６は、図示しない外部からの信号により、瞬時伸張部４４で処理された伸張データと、ＡＤＰＣＭ復号部４５で処理された復号データと、コンシールメント部４２から直接入力された信号とのうち、送信側で選択したデータ圧縮手段に対応する処理を選択して、Ｄ／Ａ変換部４３に出力する。
【０２１０】
Ｄ／Ａ変換部４３は、復元されたデジタルデータを、デジタル／アナログ変換し、アナログ音声信号を出力する。
【０２１１】
このように、実施例２３のＯＦＤＭ受信装置２１５が構成され、信号処理が行われる。
【実施例２４】
【０２１２】
図２５は、本発明の実施例２４に係るワイヤレスマイク用ＯＦＤＭ受信装置２１６の構成を示すブロック図である。図２４における実施例２３のＯＦＤＭ受信装置２１５と同じ構成ブロックは、実施例２３と同じ符号を付し、説明を簡略化する。
【０２１３】
実施例２４に係るワイヤレスマイク用ＯＦＤＭ受信装置２１６は、実施例２３のＯＦＤＭ受信装置２１５の構成と比較して、外符号復号部４０とエネルギー逆拡散部４１の順序が逆になっている点が相違する。
【０２１４】
図２５に示すように、ＯＦＤＭ受信装置２１６は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５０（５０１〜５０４）と、比較・選択・合成部５１と、エネルギー逆拡散部４１と、外符号復号部４０と、コンシールメント部４２と、瞬時伸張部４４と、ＡＤＰＣＭ復号部４５と、選択部４６と、Ｄ／Ａ変換部４３とを備える。なお、ＦＦＴ部３４の前には、それぞれ図示しないガードインターバル除去部を備えている。
【０２１５】
各構成要素については実施例２３と同じであり説明を省略する。
【実施例２５】
【０２１６】
図２６は、本発明の実施例２５に係るワイヤレスマイク用ＯＦＤＭ受信装置２１７の構成を示すブロック図である。実施例２５のＯＦＤＭ受信装置２１７は、リニアＰＣＭによる信号処理を行い、データ圧縮を行わないで高品質な音声信号を伝送する方式の受信装置であり、さらに、受信信号の外符号復号部による処理を行った後のエラー信号を利用して受信信号の選択・合成を行う受信装置である。図１８ないし図２５における実施例１７〜２４のＯＦＤＭ受信装置２０９〜２１６と同じ構成ブロックは、同じ符号を付し、説明を簡略化する。
【０２１７】
図２６に示すように、ＯＦＤＭ受信装置２１７は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、エネルギー逆拡散部４１と、コンシールメント部４２と、Ｄ／Ａ変換部４３とを備える。このうち復調部５２（５２１〜５２４）は、周波数デインターリーブ部３７と、キャリア復調部３８と、内符号復号部３９と、外符号復号部４０とから成る。なお、図２６においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０２１８】
各構成要素について説明する。図２６において、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施されることは、実施例１７〜２４と同じである。ＦＦＴ処理された信号は、復調部５２（５２１〜５２４）に入力される。
【０２１９】
復調部５２（５２１〜５２４）は、それぞれ、周波数デインターリーブ部３７と、キャリア復調部３８と、内符号復号部３９と、外符号復号部４０とから成る。周波数デインターリーブ部３７は周波数デインターリーブ処理を行い、周波数的に並び替えられたデータを元に戻し、また、キャリア復調部３８は、キャリアごとに復調を行い、推定された伝送路特性に基づいてデマッピング処理を行いＩ信号値とＱ信号値を得てビットデータに復調し、ビットデインターリーブ処理により、ビット単位で並べ替えたデータを元の配列に戻す。内符号復号部３９は、キャリア復調部３８から入力される信号を内符号復号処理し、外符号復号部４０は、送信側で付加した誤り訂正符号を利用して、復号と誤り訂正又は誤り検出を行い、復号処理で復号・訂正しきれないデータが生じた場合、誤りが生じていることを示す「エラーフラグ」を出力する。結局、復調部５２は、外符号復号部４０までの処理で復号したデータを比較・選択・合成部５１に出力するとともに、それまでの復号処理に誤りが生じた場合に、「エラーフラグ」を比較・選択・合成部５１に出力する。
【０２２０】
比較・選択・合成部５１は、復調部５２（５２１〜５２４）から出力された「エラーフラグ」を利用して、外符号復号処理までを経た各系統の信号（復調部５２からの出力信号）から品質の良い信号を選択し、必要に応じて信号の合成を行う。比較・選択・合成部５１の処理としては、実施例９〜１２と同様に、例えば、（１）エラーフラグに基づきエラー無しの信号を選択して出力する処理、（２）エラーフラグに基づきエラー無しの信号を全て選択して、選択された信号を最大比合成により合成して出力する処理、（３）エラーフラグを用いることなく復調部５２（５２１〜５２４）の各出力信号に基づく多数決判定、等が想定されるが適切な手段を選択して処理を行うことができる。比較・選択・合成部５１により選択又は合成された信号は、エネルギー逆拡散部４１に出力され、エネルギー逆拡散を施されて、元の信号出力に戻る。なお、エネルギー逆拡散部４１は、各復調部５２の内部に配置することもできるが、比較・選択・合成部５１の出力に対してエネルギー逆拡散処理を行う方が効率的である。その後、処理された信号はコンシールメント部４２に出力される。なお、コンシールメント部４２は、外符号復号部４０から送られた誤り情報に基づいてコンシールメント処理を行うことができるが、比較・選択・合成部５１でエラー無しの信号のみを選択した場合は、特に処理は行われない。その後、Ｄ／Ａ変換部４３は、信号をデジタル／アナログ変換し、アナログ音声信号を出力する。
【０２２１】
このように、実施例２５のＯＦＤＭ受信装置２１７が構成され、信号処理が行われる。
【実施例２６】
【０２２２】
図２７は、本発明の実施例２６に係るワイヤレスマイク用ＯＦＤＭ受信装置２１８の構成を示すブロック図である。図２６における実施例２５のＯＦＤＭ受信装置２１７と同じ構成ブロックは、実施例２５と同じ符号を付し、説明を簡略化する。
【０２２３】
実施例２６に係るワイヤレスマイク用ＯＦＤＭ受信装置２１８は、実施例２５のＯＦＤＭ受信装置２１７の構成と比較して、外符号復号部４０とエネルギー逆拡散部４１の順序が逆になっている点が相違する。
【０２２４】
図２７に示すように、ＯＦＤＭ受信装置２１８は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、コンシールメント部４２と、Ｄ／Ａ変換部４３とを備える。このうち、復調部５２は、周波数デインターリーブ部３７と、キャリア復調部３８と、内符号復号部３９と、エネルギー逆拡散部４１と、外符号復号部４０とから成る。実施例２５においては、外符号復号部４０と比較・選択・合成部５１の処理を行った後にエネルギー逆拡散部４１の処理を行っていたため、各系統から選択・合成された信号に対して一つのエネルギー逆拡散部４１を設けたが、実施例２６においては、エネルギー逆拡散部４１を各復調部５２にそれぞれ設けている。なお、ＦＦＴ部３４の前には、それぞれ図示しないガードインターバル除去部を備えている。
【０２２５】
各構成要素については実施例２５と同じであり説明を省略する。
【実施例２７】
【０２２６】
図２８は、本発明の実施例２７に係るワイヤレスマイク用ＯＦＤＭ受信装置２１９の構成を示すブロック図である。実施例２７のＯＦＤＭ受信装置２１９は、瞬時圧伸処理によりデータの圧縮と伸張を行う方式の受信装置であり、さらに、受信信号の外符号復号部による処理を行った後のエラー信号を利用して受信信号の選択・合成を行う受信装置である。図１８ないし図２７における実施例１７〜２６のＯＦＤＭ受信装置２０７〜２１８と同じ構成ブロックは、同じ符号を付し、説明を簡略化する。
【０２２７】
図２８に示すように、ＯＦＤＭ受信装置２１９は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、エネルギー逆拡散部４１と、コンシールメント部４２と、瞬時伸張部４４と、Ｄ／Ａ変換部４３とを備える。このうち復調部５２（５２１〜５２４）は、周波数デインターリーブ部３７と、キャリア復調部３８と、内符号復号部３９と、外符号復号部４０とから成る。なお、図２８においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０２２８】
各構成要素について説明する。図２８において、アンテナ３１（３１１〜３１４）からコンシールメント部４２までの処理は、図２６の実施例２５と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５２（５２１〜５２４）に入力される。
【０２２９】
復調部５２（５２１〜５２４）は、周波数デインターリーブ部３７と、キャリア復調部３８と、内符号復号部３９と、外符号復号部４０の処理に基づいて、外符号復号部４０までの処理で復号したデータを比較・選択・合成部５１に出力するとともに、それまでの復号処理に誤りが生じた場合に、「エラーフラグ」を比較・選択・合成部５１に出力する。
【０２３０】
比較・選択・合成部５１は、復調部５２（５２１〜５２４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、エネルギー逆拡散部４１によるエネルギー逆拡散処理と、コンシールメント部４２によるコンシールメント処理を行う。
【０２３１】
その後、瞬時伸張部４４は、予め設定した圧伸則を用いて、入力されたデジタル信号を瞬時伸張し、Ｄ／Ａ変換部４３は、伸張されたデジタルデータを、デジタル／アナログ変換し、アナログ音声信号を出力する。
【０２３２】
このように、実施例２７のＯＦＤＭ受信装置２１９が構成され、信号処理が行われる。
【実施例２８】
【０２３３】
図２９は、本発明の実施例２８に係るワイヤレスマイク用ＯＦＤＭ受信装置２２０の構成を示すブロック図である。図２８における実施例２７のＯＦＤＭ受信装置２１９と同じ構成ブロックは、実施例２７と同じ符号を付し、説明を簡略化する。
【０２３４】
実施例２８に係るワイヤレスマイク用ＯＦＤＭ受信装置２２０は、実施例２７のＯＦＤＭ受信装置２１９の構成と比較して、外符号復号部４０とエネルギー逆拡散部４１の順序が逆になっている点が相違する。
【０２３５】
図２９に示すように、ＯＦＤＭ受信装置２２０は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、コンシールメント部４２と、瞬時伸長部４４と、Ｄ／Ａ変換部４３とを備える。なお、ＦＦＴ部３４の前には、それぞれ図示しないガードインターバル除去部を備えている。
【０２３６】
各構成要素については実施例２７と同じであり説明を省略する。
【実施例２９】
【０２３７】
図３０は、本発明の実施例２９に係るワイヤレスマイク用ＯＦＤＭ受信装置２２１の構成を示すブロック図である。実施例２９のＯＦＤＭ受信装置２２１は、ＡＤＰＣＭ処理によりデータの圧縮（符号化）と復元を行う方式の受信装置であり、さらに、受信信号の外符号復号部による処理を行った後のエラー信号を利用して受信信号の選択・合成を行う受信装置である。図１８ないし図２９における実施例１７〜２８のＯＦＤＭ受信装置２０９〜２２０と同じ構成ブロックは、同じ符号を付し、説明を簡略化する。
【０２３８】
図３０に示すように、ＯＦＤＭ受信装置２２１は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、エネルギー逆拡散部４０と、コンシールメント部４２と、ＡＤＰＣＭ復号部４５と、Ｄ／Ａ変換部４３とを備える。このうち復調部５２（５２１〜５２４）は、周波数デインターリーブ部３７と、キャリア復調部３８と、内符号復号部３９と、外符号復号部４０とから成る。なお、図３０においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０２３９】
各構成要素について説明する。図３０において、アンテナ３１（３１１〜３１４）からコンシールメント部４２までの処理は、図２６，２８の実施例２５，２７と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５２（５２１〜５２４）に入力される。
【０２４０】
復調部５２（５２１〜５２４）は、周波数デインターリーブ部３７と、キャリア復調部３８と、内符号復号部３９と、外符号復号部４０の処理に基づいて、外符号復号部４０までの処理で復号したデータを比較・選択・合成部５１に出力するとともに、それまでの復号処理に誤りが生じた場合に、「エラーフラグ」を比較・選択・合成部５１に出力する。
【０２４１】
比較・選択・合成部５１は、復調部５２（５２１〜５２４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、エネルギー逆拡散部４１によるエネルギー逆拡散処理と、コンシールメント部４２によるコンシールメント処理を行う。
【０２４２】
その後、ＡＤＰＣＭ復号部４５は、入力されたデジタル信号をＡＤＰＣＭ復号処理により、元のビット数のデジタル信号に復号する。ＡＤＰＣＭ復号部４５で復号された信号は、Ｄ／Ａ変換部４３に出力され、Ｄ／Ａ変換部４３は、復号されたデジタルデータを、デジタル／アナログ変換し、アナログ音声信号を出力する。
【０２４３】
このように、実施例２９のＯＦＤＭ受信装置２２１が構成され、信号処理が行われる。
【実施例３０】
【０２４４】
図３１は、本発明の実施例３０に係るワイヤレスマイク用ＯＦＤＭ受信装置２２２の構成を示すブロック図である。図３０における実施例２９のＯＦＤＭ受信装置２２１と同じ構成ブロックは、実施例２９と同じ符号を付し、説明を簡略化する。
【０２４５】
実施例３０に係るワイヤレスマイク用ＯＦＤＭ受信装置２２２は、実施例２９のＯＦＤＭ受信装置２２１の構成と比較して、外符号復号部４０とエネルギー逆拡散部４１の順序が逆になっている点が相違する。
【０２４６】
図３１に示すように、ＯＦＤＭ受信装置２２２は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、コンシールメント部４２と、ＡＤＰＣＭ部４５と、Ｄ／Ａ変換部４３とを備える。なお、ＦＦＴ部３４の前には、それぞれ図示しないガードインターバル除去部を備えている。
【０２４７】
各構成要素については実施例２９と同じであり説明を省略する。
【実施例３１】
【０２４８】
図３２は、本発明の実施例３１に係るワイヤレスマイク用ＯＦＤＭ受信装置２２３の構成を示すブロック図である。実施例３１のＯＦＤＭ受信装置２２３は、リニアＰＣＭ処理とデータの瞬時圧伸処理とＡＤＰＣＭ処理を選択可能な方式の受信装置であり、さらに、受信信号の外符号復号部による処理を行った後のエラー信号を利用して受信信号の選択・合成を行う受信装置である。図２６，２８，３０における実施例２５，２７，２９のＯＦＤＭ受信装置２１７，２１９，２２１と同じ構成ブロックは、同じ符号を付し、説明を簡略化する。
【０２４９】
図３２に示すように、ＯＦＤＭ受信装置２２３は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、エネルギー逆拡散部４１と、コンシールメント部４２と、瞬時伸張部４４と、ＡＤＰＣＭ復号部４５と、選択部４６と、Ｄ／Ａ変換部４３とを備える。このうち復調部５２（５２１〜５２４）は、周波数デインターリーブ部３７と、キャリア復調部３８と、内符号復号部３９と、外符号復号部４０とから成る。なお、図３２においては、４つの周波数（ｆ１〜ｆ４）を受信できる４系統の周波数ダイバーシティ受信を行っているが、これは一例であって、受信する周波数の数に一致させてアンテナ３１〜ＦＦＴ部３４は２系統でも３系統でも、適切な数のものを選択すればよい。また、各周波数に対応した受信系統はそれぞれ１つになっているが、１つの周波数あたり複数の受信系統を用いる、いわゆる空間ダイバーシティを併せて利用することも可能である。なお、ＦＦＴ部３４の前には、それぞれ図示しないガードインターバル除去部を備えている。
【０２５０】
各構成要素について説明する。図３２において、アンテナ３１（３１１〜３１４）からコンシールメント部４２までの処理は、図２６，２８，３０の実施例２５，２７，２９と同一である。すなわち、各アンテナ３１（３１１〜３１４）で受信された周波数（ｆ１〜ｆ４）のそれぞれの無線周波数信号（ＯＦＤＭ信号）は、高周波部３２（３２１〜３２４）で所定の中間周波数に周波数変換され、Ａ／Ｄ変換部３３（３３１〜３３４）でデジタル信号に変換され、図示しないガードインターバル除去部によりガードインターバルが除去された後、ＦＦＴ部３４（３４１〜３４４）でＦＦＴ処理を施され、復調部５２（５２１〜５２４）に入力される。
【０２５１】
復調部５２（５２１〜５２４）は、周波数デインターリーブ部３７と、キャリア復調部３８と、内符号復号部３９と、外符号復号部４０の処理に基づいて、外符号復号部４０までの処理で復号したデータを比較・選択・合成部５１に出力するとともに、それまでの復号処理に誤りが生じた場合に、「エラーフラグ」を比較・選択・合成部５１に出力する。
【０２５２】
比較・選択・合成部５１は、復調部５２（５２１〜５２４）から出力された「エラーフラグ」を利用して（又は利用せずに）、内符号復号処理までを経た各系統の信号（復調部５０からの出力信号）から品質の良い信号を選択し、必要に応じて信号の合成を行い、次いで、エネルギー逆拡散部４１によるエネルギー逆拡散処理と、コンシールメント部４２によるコンシールメント処理を行う。その後、コンシールメント部４２は、データを瞬時伸張部４４と、ＡＤＰＣＭ復号部４５と、選択部４６に出力する。
【０２５３】
瞬時伸張部４４は、実施例１４と同じく入力されたデジタル信号（圧縮されたデータ）を所定の圧伸則に基づいて瞬時伸張し、選択部４６に出力する。また、ＡＤＰＣＭ復号部４５は、実施例１５と同じく入力されたデジタル信号をＡＤＰＣＭ復号処理により元のビット数のデジタル信号に復号し、選択部４６に出力する。
【０２５４】
選択部４６は、図示しない外部からの信号により、瞬時伸張部４４で処理された伸張データと、ＡＤＰＣＭ復号部４５で処理された復号データと、コンシールメント部４２から直接入力された信号とのうち、送信側で選択したデータ圧縮手段に対応する処理を選択して、Ｄ／Ａ変換部４３に出力する。
【０２５５】
Ｄ／Ａ変換部４３は、復元されたデジタルデータを、デジタル／アナログ変換し、アナログ音声信号を出力する。
【０２５６】
このように、実施例３１のＯＦＤＭ受信装置２２３が構成され、信号処理が行われる。
【実施例３２】
【０２５７】
図３３は、本発明の実施例３２に係るワイヤレスマイク用ＯＦＤＭ受信装置２２４の構成を示すブロック図である。図３２における実施例３１のＯＦＤＭ受信装置２２３と同じ構成ブロックは、実施例３１と同じ符号を付し、説明を簡略化する。
【０２５８】
実施例３２に係るワイヤレスマイク用ＯＦＤＭ受信装置２２４は、実施例３１のＯＦＤＭ受信装置２２３の構成と比較して、外符号復号部４０とエネルギー逆拡散部４１の順序が逆になっている点が相違する。
【０２５９】
図３３に示すように、ＯＦＤＭ受信装置２２４は、受信周波数が互いに異なる複数系統のアンテナ３１（３１１〜３１４）と、高周波部３２（３２１〜３２４）と、Ａ／Ｄ変換部３３（３３１〜３３４）と、ＦＦＴ（Fast Fourier Transform）部３４（３４１〜３４４）と、復調部５２（５２１〜５２４）と、比較・選択・合成部５１と、コンシールメント部４２と、瞬時伸張部４４と、ＡＤＰＣＭ復号部４５と、選択部４６と、Ｄ／Ａ変換部４３とを備える。なお、ＦＦＴ部３４の前には、それぞれ図示しないガードインターバル除去部を備えている。
【０２６０】
各構成要素については実施例３１と同じであり説明を省略する。
【実施例３３】
【０２６１】
図３４は、本発明の実施例３３に係るワイヤレスマイク用ＯＦＤＭ受信装置２２５の構成を示すブロック図である。実施例３３のＯＦＤＭ受信装置２２５は、リニアＰＣＭによる信号処理を行い、データ圧縮を行わないで高品質な音声信号を伝送する方式の受信装置であり、さらに、複数の周波数を受信可能なアンテナを複数系統利用するとともに、受信信号のＭＥＲ（Modulation Error Ratio ：変調誤差比）や雑音電力等で信号の品質比較を行う受信装置である。
【０２６２】
図３４に示すように、ＯＦＤＭ受信装置２２５は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、外符号復号部４０と、エネルギー逆拡散部４１と、コンシールメント部４２と、Ｄ／Ａ変換部４３とを備える。なお、図３４においては、各々のアンテナ３１が２つの周波数（ｆ１、ｆ２）を受信し、各アンテナに２つの高周波部３２が接続されるとともに、このアンテナを４本（４系統）用いているがが、これは一例であって、受信する周波数の数に一致させて各アンテナ３１に接続する高周波部３２〜ＦＦＴ部３４は、適切な数のものを選択すればよい。使用するアンテナ３１の数も４本に限られず、必要に応じて適宜設定できる。なお、ＦＦＴ部３４の前には、それぞれ図示しないガードインターバル除去部を備えている。
【０２６３】
各構成要素について説明する。アンテナ３１（３１１〜３１４）は、各々が複数の周波数（ｆ１、ｆ２）の無線周波数信号（ＯＦＤＭ信号）を受信する。
【０２６４】
高周波部３２（３２１〜３２８）は、各アンテナ３１（３１１〜３１４）に、周波数ｆ１を所定の中間周波数に周波数変換するための高周波部３２（３２１、３２３、３２５、３２７）と、周波数ｆ２を所定の中間周波数に周波数変換するための高周波部３２（３２２、３２４、３２６、３２８）とを各１台ずつ設置し、受信されたそれぞれの無線周波数（ｆ１、ｆ２）の信号をそれぞれ所定の中間周波数に周波数変換する。中間周波数に変換された信号は、Ａ／Ｄ変換部３３（３３１〜３３８）送られる。
【０２６５】
Ａ／Ｄ変換部３３（３３１〜３３８）は、信号をアナログ／デジタル変換し、デジタル信号を出力する。その後、それぞれ図示しないガードインターバル除去部によりガードインターバルが除去された後、ＦＦＴ部３４（３４１〜３４８）に入力される。
【０２６６】
ＦＦＴ部３４（３４１〜３４８）は、デジタル化された信号に対してＦＦＴ（Fast Fourier Transform：高速フーリエ変換）処理を施す。ＦＦＴ部３４の出力信号は、信号品質算出部３５（３５１〜３５８）に出力される。
【０２６７】
信号品質算出部３５（３５１〜３５８）は、ＦＦＴ処理後の信号に対して、ＭＥＲ（Modulation Error Ratio ：変調誤差比）や雑音電力等をそれぞれ算出し、ＦＦＴ処理後の信号とともに、その信号の品質を示すデータとして比較・選択・合成部５３に出力する。
【０２６８】
比較・選択・合成部５３は、信号品質算出部３５（３５１〜３５８）から出力された信号品質データとしてのＭＥＲや雑音電力等を比較し、各系統を経たＦＦＴ処理後の信号から品質の良い信号を選択し、必要に応じて信号の合成を行う。比較・選択・合成部５３の処理は、基本的には比較・選択・合成部３６の処理と同じであり、例えば、（１）ＭＥＲが最大の信号を選択して出力する処理、（２）所定の値以上のＭＥＲを示す信号を選択して、選択された信号を最大比合成により合成して出力する処理、（３）雑音電力が最小の信号を選択して出力する処理、（４）所定の値以下の雑音電力を示す信号を選択して、選択された信号を最大比合成により合成して出力する処理、等が想定されるが適切な手段を選択して処理を行うことができる。本実施例においては、各周波数毎に４系統の信号が得られるため、各系統の信号を合成して大きな利得を得ることができ、さらに、いずれの無線周波数もレーダーパルスの干渉を受けていない場合には、全系統（８系統）の信号を全て合成して利得を得ることができるので、従来と比較して感度が高く、品質の良い受信が可能となる。比較・選択・合成部５３により選択又は合成された信号は、周波数デインターリーブ部３７に出力される。
【０２６９】
周波数デインターリーブ部３７以降の信号処理は、図１０の実施例９と同じである。すなわち、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。そして、Ｄ／Ａ変換部４３は、処理されたデジタルデータを、デジタル／アナログ変換し、アナログ音声信号を出力する。
【０２７０】
このように、実施例３３のＯＦＤＭ受信装置２２５が構成され、信号処理が行われる。
【実施例３４】
【０２７１】
図３５は、本発明の実施例３４に係るワイヤレスマイク用ＯＦＤＭ受信装置２２６の構成を示すブロック図である。図３４における実施例３３のＯＦＤＭ受信装置２２５と同じ構成ブロックは、実施例３３と同じ符号を付し、説明を簡略化する。
【０２７２】
実施例３４に係るワイヤレスマイク用ＯＦＤＭ受信装置２２６は、実施例３３のＯＦＤＭ受信装置２２５の構成と比較して、外符号復号部４０とエネルギー逆拡散部４１の順序が逆になっている点が相違する。
【０２７３】
図３５に示すように、ＯＦＤＭ受信装置２２６は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、エネルギー逆拡散部４１と、外符号復号部４０と、コンシールメント部４２と、Ｄ／Ａ変換部４３とを備える。なお、ＦＦＴ部３４の前には、それぞれ図示しないガードインターバル除去部を備えている。
【０２７４】
各構成要素については実施例３３と同じであり説明を省略する。
【実施例３５】
【０２７５】
図３６は、本発明の実施例３５に係るワイヤレスマイク用ＯＦＤＭ受信装置２２７の構成を示すブロック図である。実施例３５のＯＦＤＭ受信装置２２７は、瞬時圧伸処理によりデータの圧縮と伸張を行う方式の受信装置であり、さらに、複数の周波数を受信可能なアンテナを複数系統利用するとともに、受信信号のＭＥＲ（Modulation Error Ratio ：変調誤差比）や雑音電力等で信号の品質比較を行う受信装置である。
【０２７６】
図３６に示すように、ＯＦＤＭ受信装置２２７は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、外符号復号部４０と、エネルギー逆拡散部４１と、コンシールメント部４２と、瞬時伸張部４４と、Ｄ／Ａ変換部４３とを備える。なお、図３６においては、各々が２つの周波数（ｆ１、ｆ２）を受信できる４本のアンテナによる周波数・空間ダイバーシティ受信を行っているが、これは一例であって、受信する周波数の数に一致させて各アンテナ３１に接続する高周波部３２〜ＦＦＴ部３４は、適切な数のものを選択すればよい。使用するアンテナ３１の数も４本に限られず、必要に応じて適宜設定できる。なお、ＦＦＴ部３４の前には、それぞれ図示しないガードインターバル除去部を備えている。
【０２７７】
各構成要素について説明する。アンテナ３１（３１１〜３１４）からコンシールメント部４２までの処理は、図３４の実施例３３と同じである。すなわち、各アンテナ３１（３１１〜３１４）で受信した複数の周波数（ｆ１、ｆ２）の無線周波数信号（ＯＦＤＭ信号）を、各々の周波数に対応した高周波部３２（３２１〜３２８）により、それぞれ所定の中間周波数に周波数変換し、さらに、Ａ／Ｄ変換部３３（３３１〜３３８）により、信号をアナログ／デジタル変換する。その後、ガードインターバルが除去された後、ＦＦＴ部３４（３４１〜３４８）により、ＦＦＴ処理を施され、信号品質算出部３５（３５１〜３５８）に出力される。
【０２７８】
信号品質算出部３５（３５１〜３５８）は、ＦＦＴ処理後の信号に対してＭＥＲや雑音電力等をそれぞれ算出し、比較・選択・合成部５３は、信号品質データとしてのＭＥＲや雑音電力等を比較し、各系統を経たＦＦＴ処理後の信号から品質の良い信号を選択し、必要に応じて信号の合成を行う。
【０２７９】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。
その後、瞬時伸張部４４は、予め設定した圧伸則を用いて、入力されたデジタル信号を瞬時伸張し、Ｄ／Ａ変換部４３は、伸張されたデジタルデータを、デジタル／アナログ変換し、アナログ音声信号を出力する。
【０２８０】
このように、実施例３５のＯＦＤＭ受信装置２２７が構成され、信号処理が行われる。
【実施例３６】
【０２８１】
図３７は、本発明の実施例３６に係るワイヤレスマイク用ＯＦＤＭ受信装置２２８の構成を示すブロック図である。図３６における実施例３５のＯＦＤＭ受信装置２２７と同じ構成ブロックは、実施例３５と同じ符号を付し、説明を簡略化する。
【０２８２】
実施例３６に係るワイヤレスマイク用ＯＦＤＭ受信装置２２８は、実施例３５のＯＦＤＭ受信装置２２７の構成と比較して、外符号復号部４０とエネルギー逆拡散部４１の順序が逆になっている点が相違する。
【０２８３】
図３７に示すように、ＯＦＤＭ受信装置２２８は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、エネルギー逆拡散部４１と、外符号復号部４０と、コンシールメント部４２と、瞬時伸長部４４と、Ｄ／Ａ変換部４３とを備える。なお、ＦＦＴ部３４の前には、それぞれ図示しないガードインターバル除去部を備えている。
【０２８４】
各構成要素については実施例３５と同じであり説明を省略する。
【実施例３７】
【０２８５】
図３８は、本発明の実施例３７に係るワイヤレスマイク用ＯＦＤＭ受信装置２２９の構成を示すブロック図である。実施例３７のＯＦＤＭ受信装置２２９は、ＡＤＰＣＭ処理によりデータの圧縮（符号化）と復元を行う方式の受信装置であり、さらに、複数の周波数を受信可能なアンテナを複数系統利用するとともに、受信信号のＭＥＲ（Modulation Error Ratio ：変調誤差比）や雑音電力等で信号の品質比較を行う受信装置である。
【０２８６】
図３８に示すように、ＯＦＤＭ受信装置２２９は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、外符号復号部４０と、エネルギー逆拡散部４１と、コンシールメント部４２と、ＡＤＰＣＭ復号部４５と、Ｄ／Ａ変換部４３とを備える。なお、図３８においては、各々が２つの周波数（ｆ１、ｆ２）を受信できる４本のアンテナによる周波数・空間ダイバーシティ受信を行っているが、これは一例であって、受信する周波数の数に一致させて各アンテナ３１に接続する高周波部３２〜ＦＦＴ部３４は、適切な数のものを選択すればよい。使用するアンテナ３１の数も４本に限られず、必要に応じて適宜設定できる。なお、ＦＦＴ部３４の前には、それぞれ図示しないガードインターバル除去部を備えている。
【０２８７】
各構成要素について説明する。アンテナ３１（３１１〜３１４）からコンシールメント部４２までの処理は、図３４，３６の実施例３３，３５と同じである。すなわち、各アンテナ３１（３１１〜３１４）で受信した複数の周波数（ｆ１、ｆ２）の無線周波数信号（ＯＦＤＭ信号）を、各々の周波数に対応した高周波部３２（３２１〜３２８）により、それぞれ所定の中間周波数に周波数変換し、さらに、Ａ／Ｄ変換部３３（３３１〜３３８）により、信号をアナログ／デジタル変換する。その後、ガードインターバルが除去された後、ＦＦＴ部３４（３４１〜３４８）により、ＦＦＴ処理を施され、信号品質算出部３５（３５１〜３５８）に出力される。
【０２８８】
信号品質算出部３５（３５１〜３５８）は、ＦＦＴ処理後の信号に対してＭＥＲや雑音電力等をそれぞれ算出し、比較・選択・合成部５３は、信号品質データとしてのＭＥＲや雑音電力等を比較し、各系統を経たＦＦＴ処理後の信号から品質の良い信号を選択し、必要に応じて信号の合成を行う。
【０２８９】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。その後、ＡＤＰＣＭ復号部４５は、入力されたデジタル信号をＡＤＰＣＭ復号処理により、元のビット数のデジタル信号に復号する。ＡＤＰＣＭ復号部４５で復号された信号は、Ｄ／Ａ変換部４３に出力され、Ｄ／Ａ変換部４３は、復号されたデジタルデータを、デジタル／アナログ変換し、アナログ音声信号を出力する。
【０２９０】
このように、実施例３７のＯＦＤＭ受信装置２２９が構成され、信号処理が行われる。
【実施例３８】
【０２９１】
図３９は、本発明の実施例３８に係るワイヤレスマイク用ＯＦＤＭ受信装置２３０の構成を示すブロック図である。図３８における実施例３７のＯＦＤＭ受信装置２２９と同じ構成ブロックは、実施例３７と同じ符号を付し、説明を簡略化する。
【０２９２】
実施例３８に係るワイヤレスマイク用ＯＦＤＭ受信装置２３０は、実施例３７のＯＦＤＭ受信装置２２９の構成と比較して、外符号復号部４０とエネルギー逆拡散部４１の順序が逆になっている点が相違する。
【０２９３】
図３９に示すように、ＯＦＤＭ受信装置２３０は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、エネルギー逆拡散部４１と、外符号復号部４０と、コンシールメント部４２と、瞬時伸長部４４と、Ｄ／Ａ変換部４３とを備える。なお、ＦＦＴ部３４の前には、それぞれ図示しないガードインターバル除去部を備えている。
【０２９４】
各構成要素については実施例３７と同じであり説明を省略する。
【実施例３９】
【０２９５】
図４０は、本発明の実施例３９に係るワイヤレスマイク用ＯＦＤＭ受信装置２３１の構成を示すブロック図である。実施例３９のＯＦＤＭ受信装置２３１は、リニアＰＣＭ処理とデータの瞬時圧伸処理とＡＤＰＣＭ処理を選択可能な方式の受信装置であり、さらに、複数の周波数を受信可能なアンテナを複数系統利用するとともに、受信信号のＭＥＲ（Modulation Error Ratio ：変調誤差比）や雑音電力等で信号の品質比較を行う受信装置である。
【０２９６】
図４０に示すように、ＯＦＤＭ受信装置２３１は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、外符号復号部４０と、エネルギー逆拡散部４１と、コンシールメント部４２と、瞬時伸張部４４と、ＡＤＰＣＭ復号部４５と、選択部４６と、Ｄ／Ａ変換部４３とを備える。なお、図４０においては、各々が２つの周波数（ｆ１、ｆ２）を受信できる４本のアンテナによる周波数・空間ダイバーシティ受信を行っているが、これは一例であって、受信する周波数の数に一致させて各アンテナ３１に接続する高周波部３２〜ＦＦＴ部３４は、適切な数のものを選択すればよい。使用するアンテナ３１の数も４本に限られず、必要に応じて適宜設定できる。なお、ＦＦＴ部３４の前には、それぞれ図示しないガードインターバル除去部を備えている。
【０２９７】
各構成要素について説明する。アンテナ３１（３１１〜３１４）からコンシールメント部４２までの処理は、図３４，３６，３８の実施例３３，３５，３７と同じである。すなわち、各アンテナ３１（３１１〜３１４）で受信した複数の周波数（ｆ１、ｆ２）の無線周波数信号（ＯＦＤＭ信号）を、各々の周波数に対応した高周波部３２（３２１〜３２８）により、それぞれ所定の中間周波数に周波数変換し、さらに、Ａ／Ｄ変換部３３（３３１〜３３８）により、信号をアナログ／デジタル変換する。その後、ガードインターバルが除去された後、ＦＦＴ部３４（３４１〜３４８）により、ＦＦＴ処理を施され、信号品質算出部３５（３５１〜３５８）に出力される。
【０２９８】
信号品質算出部３５（３５１〜３５８）は、ＦＦＴ処理後の信号に対してＭＥＲや雑音電力等をそれぞれ算出し、比較・選択・合成部５３は、信号品質データとしてのＭＥＲや雑音電力等を比較し、各系統を経たＦＦＴ処理後の信号から品質の良い信号を選択し、必要に応じて信号の合成を行う。
【０２９９】
その後、周波数デインターリーブ部３７により、周波数的に並び替えられたデータを元に戻す周波数デインターリーブ処理を行い、キャリア復調部３８にて、推定された伝送路特性に基づいてデマッピング処理を行いＩ信号値とＱ信号値を得てビットデータに復調し、ビットデインターリーブ処理により、ビット単位で並べ替えたデータを元の配列に戻す。次いで、内符号復号部３９による内符号復号処理、外符号復号部４０にて、送信側で付加した誤り訂正符号を利用して、誤り訂正又は誤り検出を行い、エネルギー逆拡散部４１によるエネルギー逆拡散を施し、さらに、コンシールメント部４２により、内符号復号部３９及び／又は外符号復号部４０から送られた誤り情報に基づいて、訂正できなかった誤りデータに対して、誤りが発生する直前の値を保持する等のコンシールメント処理を行う。その後、コンシールメント部４２は、データを瞬時伸張部４４と、ＡＤＰＣＭ復号部４５と、選択部４６に出力する。
【０３００】
瞬時伸張部４４は、実施例３５と同じく入力されたデジタル信号（圧縮されたデータ）を所定の圧伸則に基づいて瞬時伸張し、選択部４６に出力する。また、ＡＤＰＣＭ復号部４５は、実施例３７と同じく入力されたデジタル信号をＡＤＰＣＭ復号処理により元のビット数のデジタル信号に復号し、選択部４６に出力する。
【０３０１】
選択部４６は、図示しない外部からの信号により、瞬時伸張部４４で処理された伸張データと、ＡＤＰＣＭ復号部４５で処理された復号データと、コンシールメント部４２から直接入力された信号とのうち、送信側で選択したデータ圧縮手段に対応する処理を選択して、Ｄ／Ａ変換部４３に出力する。
【０３０２】
Ｄ／Ａ変換部４３は、復元されたデジタルデータを、デジタル／アナログ変換し、アナログ音声信号を出力する。
【０３０３】
このように、実施例３９のＯＦＤＭ受信装置２３１が構成され、信号処理が行われる。
【実施例４０】
【０３０４】
図４１は、本発明の実施例４０に係るワイヤレスマイク用ＯＦＤＭ受信装置２３２の構成を示すブロック図である。図４０における実施例３９のＯＦＤＭ受信装置２３１と同じ構成ブロックは、実施例３９と同じ符号を付し、説明を簡略化する。
【０３０５】
実施例４０に係るワイヤレスマイク用ＯＦＤＭ送信装置２３２は、実施例３９のＯＦＤＭ受信装置２３１の構成と比較して、外符号復号部４０とエネルギー逆拡散部４１の順序が逆になっている点が相違する。
【０３０６】
図４１に示すように、ＯＦＤＭ受信装置２３２は、各々が複数の無線周波数（ｆ１、ｆ２）を受信可能な複数系統のアンテナ３１（３１１〜３１４）と、高周波部３２（３２１〜３２８）と、Ａ／Ｄ変換部３３（３３１〜３３８）と、ＦＦＴ（Fast Fourier Transform）部３４（３４１〜３４８）と、信号品質算出部３５（３５１〜３５８）と、比較・選択・合成部５３と、周波数デインターリーブ部３７と、キャリア復調部３８と、内符号復号部３９と、エネルギー逆拡散部４１と、外符号復号部４０と、コンシールメント部４２と、瞬時伸張部４４と、ＡＤＰＣＭ復号部４５と、選択部４６と、Ｄ／Ａ変換部４３とを備える。なお、ＦＦＴ部３４の前には、それぞれ図示しないガードインターバル除去部を備えている。
【０３０７】
各構成要素については実施例３９と同じであり説明を省略する。
【０３０８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各ブロック等に含まれる機能等は論理的に矛盾しないように再配置可能であり、複数のブロック等を１つに組み合わせたり、或いは分割したりすることが可能である。
【符号の説明】
【０３０９】
１０１〜１０８  ワイヤレスマイク用ＯＦＤＭ送信装置
２０１〜２３２  ワイヤレスマイク用ＯＦＤＭ受信装置
１１  Ａ／Ｄ変換部
１２  エネルギー拡散部
１３  外符号符号化部
１４  内符号符号化部
１５  キャリア変調部
１６  周波数インターリーブ部
１７  ＯＦＤＭフレーム構成部
１８  ＩＦＦＴ部
１９  Ｄ／Ａ変換部
２０  周波数変換部
２１  出力合成部
２２  アンテナ
２３  瞬時圧縮部
２４  ＡＤＰＣＭ符号化部
２５  選択部
３１  アンテナ
３２  Ａ／Ｄ変換部
３３  高周波部
３４  ＦＦＴ部
３５  信号品質算出部
３６  比較・選択・合成部
３７  周波数デインターリーブ部
３８  キャリア復調部
３９  内符号復号部
４０  外符号復号部
４１  エネルギー逆拡散部
４２  コンシールメント部
４３  Ｄ／Ａ変換部
４４  瞬時伸張部
４５  ＡＤＰＣＭ復号部
４６  選択部
５０  復調部
５１  比較・選択・合成部
５２  復調部
５３  比較・選択・合成部
【図１】
2014209699.tif 000003
【図２】
2014209699.tif 000004
【図３】
2014209699.tif 000005
【図４】
2014209699.tif 000006
【図５】
2014209699.tif 000007
【図６】
2014209699.tif 000008
【図７】
2014209699.tif 000009
【図８】
2014209699.tif 000010
【図９】
2014209699.tif 000011
【図１０】
2014209699.tif 000012
【図１１】
2014209699.tif 000013
【図１２】
2014209699.tif 000014
【図１３】
2014209699.tif 000015
【図１４】
2014209699.tif 000016
【図１５】
2014209699.tif 000017
【図１６】
2014209699.tif 000018
【図１７】
2014209699.tif 000019
【図１８】
2014209699.tif 000020
【図１９】
2014209699.tif 000021
【図２０】
2014209699.tif 000022
【図２１】
2014209699.tif 000023
【図２２】
2014209699.tif 000024
【図２３】
2014209699.tif 000025
【図２４】
2014209699.tif 000026
【図２５】
2014209699.tif 000027
【図２６】
2014209699.tif 000028
【図２７】
2014209699.tif 000029
【図２８】
2014209699.tif 000030
【図２９】
2014209699.tif 000031
【図３０】
2014209699.tif 000032
【図３１】
2014209699.tif 000033
【図３２】
2014209699.tif 000034
【図３３】
2014209699.tif 000035
【図３４】
2014209699.tif 000036
【図３５】
2014209699.tif 000037
【図３６】
2014209699.tif 000038
【図３７】
2014209699.tif 000039
【図３８】
2014209699.tif 000040
【図３９】
2014209699.tif 000041
【図４０】
2014209699.tif 000042
【図４１】
2014209699.tif 000043
【図４２】
2014209699.tif 000044